(57)【要約】  重複伝送の設定及び／又はアクティベーション方法、重複伝送の方法及び装置が提供される。ＣＡ及び／又は少なくとも２つの接続の操作が設定されているユーザ装置に対して重複伝送のための設定メッセージ及び／又は重複伝送のためのアクティベーション／ディアクティベーションシグナリングを設定し、このようにして、３つ又は３つ以上の伝送経路を有する重複伝送をサポートすることができる。また、ＭＣ又は多経路のＣＡが、ユーザ装置に設定されるときに、比較的良い品質を有する経路を用いてデータの重複伝送を行うことで、重複伝送のデータ伝送信頼性に対する利得を保証することができ、さらに、過多の無線リソースを占用することがないので、比較的高い無線リソース利用率を保証することができる。
2021533602.tif 000002
【特許請求の範囲】
【請求項１】
重複伝送の設定及び／又はアクティベーション装置であって、
ユーザ装置に、該ユーザ装置がＣＡ及び／又は少なくとも２つの接続の操作を行うように設定するための第一設定メッセージを送信するための第一送信ユニット；及び
前記ユーザ装置に、重複伝送のための第二設定メッセージ、及び／又は、重複伝送のためのアクティベーション／ディアクティベーションシグナリングを送信するための第二送信ユニットを含む、装置。
【請求項２】
請求項１に記載の装置であって、
前記ユーザ装置に送信する前記第二設定メッセージは次の少なくとも１つの情報を含み、即ち、少なくとも１つのデータ無線バリア（ＤＲＢ）が重複伝送されるために使用する経路の情報；少なくとも１つの経路が重複伝送を行うために用いられ得るかの情報；及び、少なくとも１つの経路について該経路を使用して重複伝送を行うように設定されるＤＲＢの情報である、装置。
【請求項３】
請求項２に記載の装置であって、
前記少なくとも１つのデータ無線バリア（ＤＲＢ）が重複伝送されるために使用する経路の情報は次の少なくとも１つを含み、即ち、少なくとも１つのＤＲＢが重複伝送されるために使用するネットワーク装置標識、セル組標識、無線リンク制御（ＲＬＣ）実体標識及び論理チャネル標識であり、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、位置。
【請求項４】
請求項１−３のうちの任意の一項に記載の装置であって、
前記第二設定メッセージは無線リソース制御（ＲＲＣ）シグナリングである、装置。
【請求項５】
請求項１−３のうちの任意の一項に記載の装置であって、
ネットワーク装置の前記第二送信ユニットは前記ユーザ装置に、重複伝送のための前記アクティベーション／ディアクティベーションシグナリングを送信し、前記アクティベーション／ディアクティベーションシグナリングは、ＤＲＢの前記ネットワーク装置における重複伝送のアクティベーション状態の指示を含み、及び／又は
他のネットワーク装置の前記第二送信ユニットは前記ユーザ装置に、重複伝送のための前記アクティベーション／ディアクティベーションシグナリングを送信し、前記重複伝送のためのアクティベーション／ディアクティベーションシグナリングは、ＤＲＢの前記他のネットワーク装置における重複伝送のアクティベーション状態の指示を含み、
前記ユーザ装置と、前記ネットワーク装置及び前記他のネットワーク装置とは少なくとも２つの接続が設定される、装置。
【請求項６】
請求項１−３のうちの任意の一項に記載の装置であって、
前記アクティベーション／ディアクティベーションシグナリングは、重複伝送のための経路の使用状態の指示を含む、装置。
【請求項７】
請求項６に記載の装置であって、
前記経路は、ネットワーク装置、セル組、媒体アクセス制御（ＭＡＣ）実体、無線リンク制御（ＲＬＣ）実体及び論理チャネルのうちの少なくとも１つを含む、装置。
【請求項８】
請求項７に記載の装置であって、
前記重複伝送のための経路の使用状態の指示は、前記ネットワーク装置又はセル組又はＭＡＣ実体又はＲＬＣ実体又は論理チャネルの索引又は標識に対応するネットワーク装置又はセル組又はＭＡＣ実体又はＲＬＣ実体又は論理チャネルの使用状態を含む、装置。
【請求項９】
請求項１に記載の装置であって、
前記アクティベーション／ディアクティベーションシグナリングは、重複伝送と設定される少なくとも１つのＤＲＢの経路における使用状態の指示を含む、装置。
【請求項１０】
請求項９に記載の装置であって、
前記アクティベーション／ディアクティベーションシグナリングは、さらに、重複伝送と設定される少なくとも１つのＤＲＢと、経路とのマッピング関係を含む、装置。
【請求項１１】
重複伝送の装置であって、
ネットワーク装置から、ユーザ装置がＣＡ及び／又は少なくとも２つの接続の操作を行うように設定するための第一設定メッセージを受信するための第一受信ユニット；及び
ネットワーク装置から、重複伝送のための第二設定メッセージ、及び／又は、重複伝送のためのアクティベーション／ディアクティベーションシグナリングを受信するための第二受信ユニットを含む、装置。
【請求項１２】
請求項１１に記載の装置であって、
前記ネットワーク装置から受信する前記第二設定メッセージは、次の少なくとも１つの情報を含み、即ち、少なくとも１つのデータ無線バリア（ＤＲＢ）が重複伝送されるために使用する経路の情報；少なくとも１つの経路が重複伝送を行うために用いられ得るかの情報；及び、少なくとも１つの経路について該経路を使用して重複伝送を行うように設定されるＤＲＢの情報である、装置。
【請求項１３】
請求項１２に記載の装置であって、
前記少なくとも１つのデータ無線バリア（ＤＲＢ）が重複伝送されるために使用する経路の情報は次の少なくとも１つを含み、即ち、少なくとも１つのＤＲＢが重複伝送されるために使用するネットワーク装置標識、セル組標識、ＲＬＣ実体標識及び論理チャネル標識であり、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、装置。
【請求項１４】
請求項１１−１３のうちの任意の一項に記載の装置であって、
前記ネットワーク装置から受信する前記第二設定メッセージは無線リソース制御（ＲＲＣ）シグナリングである、装置。
【請求項１５】
請求項１１−１３のうちの任意の一項に記載の装置であって、
前記第二受信ユニットは、少なくとも２つのネットワーク装置からそれぞれ少なくとも１つのＤＲＢの重複伝送のアクティベーション状態の指示を受信し、
前記ユーザ装置と、前記少なくとも２つのネットワーク装置とは少なくとも２つの接続が設定される、装置。
【請求項１６】
請求項１５に記載の装置であって、
第一確定ユニットをさらに含み、
前記第一確定ユニットは、前記ユーザ装置の、少なくとも１つのネットワーク装置又は少なくとも１つのセル組に対応する少なくとも１つのＭＡＣ実体が、前記指示に基づいて、前記ＭＡＣ実体に関する少なくとも１つのＤＲＢの重複伝送のアクティベーション状態を確定するようにさせる、装置。
【請求項１７】
請求項１５に記載の装置であって、
第一伝送ユニットをさらに含み、
前記第一伝送ユニットは、前記ユーザ装置の、少なくとも１つのネットワーク装置又は少なくとも１つのセル組に対応する少なくとも１つのＭＡＣ実体が、前記アクティベーション／ディアクティベーションシグナリングにおいて重複伝送がアクティベーションされる少なくとも１つのＤＲＢについて、前記ネットワーク装置又は前記セル組を用いて前記ＤＲＢの重複伝送を行うようにさせ、及び／又は、前記ユーザ装置の、１つのネットワーク装置又は１つのセル組に対応する１つのＭＡＣ実体が、前記アクティベーション／ディアクティベーションシグナリングにおいて重複伝送がディアクティベーションされる１つのＤＲＢについて、前記ネットワーク装置又は前記セル組を用いて前記ＤＲＢの重複伝送を行わないようにさせる、装置。
【請求項１８】
請求項１１に記載の装置であって、
前記第二受信ユニットは前記ネットワーク装置から重複伝送のための経路の使用状態の指示を受信する、装置。
【請求項１９】
請求項１１−１３のうちの任意の一項に記載の装置であって、
前記第二受信ユニットが受信した前記アクティベーション／ディアクティベーションシグナリングは重複伝送と設定される１つのＤＲＢの経路における使用状態の指示を含む、装置。
【請求項２０】
請求項１９に記載の装置であって、
第二確定ユニットをさらに含み、
前記第二確定ユニットは、重複伝送と設定される前記少なくとも１つのＤＲＢの経路における使用状態の指示に基づいて、前記ＤＲＢの重複伝送を行うために使用する経路を確定する、装置。
【発明の詳細な説明】
【技術分野】
【０００１】
本発明は、通信技術分野に関し、特に、重複伝送の設定及び／又はアクティベーション方法、重複伝送の方法及び装置に関する。
【背景技術】
【０００２】
ネットワーク装置（Ｎｅｔｗｏｒｋ  Ｅｑｕｉｐｍｅｎｔ、ＮＥ）及びユーザ装置（Ｕｓｅｒ  Ｅｑｕｉｐｍｅｎｔ、ＵＥ）がデータ伝送を行うときに、データ送信実体はスプリット伝送（Ｓｐｌｉｔ  Ｔｒａｎｓｍｉｓｓｉｏｎ）モードを採用することができ、即ち、異なるリンク上で異なるデータを伝送し、例えば、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）データの伝送を行うときに、異なる経路上で異なるＰＤＣＰプロトコルデータユニット（Ｐｒｏｔｏｃｏｌ  Ｄａｔａ  Ｕｎｉｔ、ＰＤＵ）を伝送することができる。
【０００３】
近年、移動通信ネットワークに基づく各類のデータの応用及びサービスが迅速に増加しており、移動通信ネットワークによりサービングされる端末も、従来の、人を使用主体とするスマートフォン端末から、より多くの、マシンを主体とする他の類型の端末に拡張されている。このような変化の傾向に適応するために、将来の移動通信ネットワークは、より多くの柔軟なサービスを提供し得る能力を、異なる端末装置や異なるサービスのニーズを満足するために具備する必要がある。この目的を達成するために、従来のｅＭＢＢ（ｅｎｈａｎｃｅｄ  Ｍｏｂｉｌｅ  Ｂｒｏａｄｂａｎｄ）トラフィック以外に、５Ｇ通信システムはさらに、膨大なｍＭＴＣ（Ｍａｓｓｉｖｅ  Ｍａｃｈｉｎｅ  Ｔｙｐｅ  Ｃｏｍｍｕｎｉｃａｔｉｏｎｓ）トラフィック、及びＵＲＬＬ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ、Ｃ）トラフィックをサポートし得る。
【０００４】
高信頼性のデータ伝送をサポートするために、次世代のシステムでは、パケットデータコンバージェンスプロトコルＰＤＣＰデータの重複伝送（Ｄｕｐｌｉｃａｔｉｏｎ  Ｔｒａｎｓｍｉｓｓｉｏｎ）モードがサポートされ、即ち、異なる経路上で同じデータを伝送することができる。例えば、異なる経路上で同じＰＤＣＰ  ＰＤＵを伝送する。同じデータの複数の異なるリンク上の伝送のダイバーシティ利得を用いて、データ伝送の誤り確率を減少させ、トラフィックの信頼性を保証することができる。
【０００５】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００６】
現在の新無線（ＮＲ、Ｎｅｗ  Ｒａｄｉｏ）システムでは、ＣＡ（Ｃａｒｒｉｅｒ  Ａｇｇｒｅｇａｔｉｏｎ）又はＤＣ（Ｄｕａｌ  ｃｏｎｎｅｃｔｉｖｉｔｙ）を採用する重複伝送メカニズムがサポートされる。例えば、ＵＥは、１つのネットワーク装置又はセル組（ｃｅｌｌ  ｇｒｏｕｐ）に接続するＣＡの方式で同じデータを重複伝送することができ、又は、ＤＣが設定されるＵＥは、２つのネットワーク装置又は２つのセル組により同じデータを重複伝送することができる。
【０００７】
ＮＲシステムでは、ＲＲＣシグナリングにより或るＤＲＢが重複伝送をサポートするかを設定することができ、例えば、該ＲＲＣシグナリングでは、或るＤＲＢについて、ｐｄｃｐ−Ｄｕｐｌｉｃａｔｉｏｎフィールドが“１”であることは該ＤＲＢが重複伝送をサポートすることを示し、ｐｄｃｐ−Ｄｕｐｌｉｃａｔｉｏｎフィールドが“０”であることは該ＤＲＢが重複伝送をサポートしないことを示す。
【０００８】
また、ＭＡＣ層の制御エレメント（Ｃｏｎｔｒｏｌ  Ｅｌｅｍｅｎｔ、ＣＥ）により該ＵＥにＭＡＣ実体に関するＤＲＢの重複伝送のアクティベーション状態を指示することもできる。例えば、重複伝送のアクティベーション状態を指示するためのＭＡＣ  ＣＥでは、左から右への逆の順序に従って、該ＭＡＣ実体に関する少なくとも１つのＤＲＢの重複伝送のアクティベーション状態を並べ替え、或るＤＲＢについて、“１”により該ＤＲＢの重複伝送の状態がアクティベーションであることを示し、“０”により該ＤＲＢの重複伝送の状態がディアクティベーションであることを示す。そのうち、重複伝送の状態がアクティベーションであることは、異なる経路を使用して同じデータを伝送することを表し、重複伝送のディアクティベーションは、異なる経路を使用して異なるデータを伝送することを表し、即ち、スプリット伝送のモードを採用することを表す。
【０００９】
例えば、ＤＣが設定されるＵＥについて、それは２つのＭＡＣ実体があり、それぞれ、マスターセル組（ｍａｓｔｅｒ  ｃｅｌｌ  ｇｒｏｕｐ、ＭＣＧ）及びセコンダリーセル組（ｓｅｃｏｎｄａｒｙ  ｃｅｌｌ  ｇｒｏｕｐ、ＳＣＧ）に対応し、この２つのＭＡＣ実体は、それぞれ、ＭＣＧに対応する、重複伝送のアクティベーション状態を指示するためのＭＡＣ  ＣＥ及びＳＣＧに対応する、重複伝送のアクティベーション状態を指示するためのＭＡＣ  ＣＥを受信する。対応するＭＡＣ  ＣＥを受信した後に、ＵＥのＭＡＣ実体は、それに関する少なくとも１つのＤＲＢの重複伝送のアクティベーション状態を知り、そして、該ＤＲＢのＰＤＣＰ実体に転送し、該ＰＤＣＰ実体に重複伝送のアクティベーション及び／又はディアクティベーションを実行して貰い、また、該ＰＤＣＰ実体に対応する無線リンク制御（Ｒａｄｉｏ  Ｌｉｎｋ  Ｃｏｎｔｒｏｌ、ＲＬＣ）実体及び論理チャネルによりＰＤＣＰの重複伝送を行って貰い、そのうち、１つの論理チャネルは１つのＲＬＣ実体に対応する。
【００１０】
３ＧＰＰの次のリリースでは、ＭＣ（Ｍｕｌｔｉｐｌｅ  ｃｏｎｎｅｃｔｉｖｉｔｙ）の方式を採用してデータ伝送の信頼性をさらに向上させることがサポートされる可能性がある。例えば、ＵＥが３つ又は３つ以上のネットワーク装置又はセル組とＭＣを構成するように設定することがサポートされる可能性があり、また、３つ又は３つ以上のＲＬＣ実体及び／又は論理チャネルの多経路ＣＡ伝送がサポートされる可能性もある。重複伝送が設定されるＤＲＢについて、それに対応する１つのＲＬＣ実体及び／又は論理チャネルは１つの経路（ｌｅｇ）と称されて良い。しかし、今のところ、２つのみの経路の重複伝送がサポートされ、例えば、ＣＡモードで重複伝送を行うＤＲＢについて、その２つのＲＬＣ実体及び／又は論理チャネルは、１つのネットワーク装置又はセル組内でＣＡの方式で重複伝送を行い、ＤＣモードで重複伝送を行うＤＲＢについて、その２つのＲＬＣ実体及び／又は論理チャネルは、２つのネットワーク装置又はセル組中で重複伝送を行う。今のところ、３つ又は３つ以上経路の重複伝送がサポートされない。よって、３つ又は３つ以上の伝送経路を有する場合、重複伝送の設定及び／又はアクティベーションを行うための有効な方法が未だにない。
【００１１】
本発明の実施例は重複伝送の設定及び／又はアクティベーション方法を提供し、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ＭＣ又は多経路のＣＡがユーザ装置に設定されるときに、比較的良い品質を有する経路を用いてデータの重複伝送を行うことで、重複伝送のデータ伝送信頼性に対する利得を保証することができ、また、過多の（多すぎる）無線リソースを占用することがないため、比較的高い無線リソース利用率を保証することもできる。
【００１２】
本発明の実施例はさらに重複伝送の方法を提供し、ＣＡ及び／又は少なくとも２つの接続の操作が設定されているユーザ装置が自ら重複伝送を行うための経路を確定することにより、同様に、３つ又は３つ以上の伝送経路を有する重複伝送をサポートし、重複伝送のデータ伝送信頼性に対する利得、及び比較的高い無線リソース利用率を保証することができる。また、ネットワーク装置側からの重複伝送のための設定及び／又はアクティベーション／ディアクティベーションシグナリングを受信する必要がないから、ネットワークのシグナリングオーバーヘッドを節約し、無線リソースの占用を減少させ、ネットワーク実現用のアルゴリズムを簡略化することができる。
【課題を解決するための手段】
【００１３】
本発明の実施例の第一側面によれば、重複伝送の設定及び／又はアクティベーション装置が提供され、前記装置は、
ユーザ装置に、該ユーザ装置がＣＡ及び／又は少なくとも２つの接続の操作を行うように設定するための第一設定メッセージを送信するための第一送信ユニット；及び
前記ユーザ装置に、重複伝送のための第二設定メッセージ、及び／又は、重複伝送のためのアクティベーション／ディアクティベーションシグナリングを送信するための第二送信ユニットを含む。
【００１４】
本発明の実施例の第二側面によれば、重複伝送の装置が提供され、前記装置は、
ネットワーク装置から、ユーザ装置がＣＡ及び／又は少なくとも２つの接続の操作を行うように設定するための第一設定メッセージを受信するための第一受信ユニット；及び
ネットワーク装置から、重複伝送のための第二設定メッセージ、及び／又は、重複伝送のためのアクティベーション／ディアクティベーションシグナリングを受信するための第二受信ユニットを含む。
【００１５】
本発明の実施例の第三側面によれば、重複伝送の装置が提供され、前記装置は、
ＣＡ及び／又は少なくとも２つの接続の操作を行うように設定するための第一設定メッセージを受信するための第三受信ユニット；及び
重複伝送を行うための経路を確定するための第三確定ユニットを含む。
【００１６】
本発明の実施例の第四側面によれば、ネットワーク装置が提供され、前記ネットワーク装置は本発明の実施例の第一側面に記載の装置を含む。
【００１７】
本発明の実施例の第五側面によれば、ユーザ装置が提供され、前記ユーザ装置は本発明の実施例の第二側面に記載の装置及び／又は本発明の実施例の第三側面に記載の装置を含む。
【００１８】
本発明の実施例の第六側面によれば、通信システムが提供され、前記通信システムは本発明の実施例の第四側面に記載のネットワーク装置及び／又は本発明の実施例の第五側面に記載のユーザ装置を含む。
【００１９】
本発明の実施例の第七側面によれば、重複伝送の設定及び／又はアクティベーション方法が提供され、前記方法は、
ユーザ装置に、該ユーザ装置がＣＡ及び／又は少なくとも２つの接続の操作を行うように設定するための第一設定メッセージを送信し；及び
前記ユーザ装置に、重複伝送のための第二設定メッセージ、及び／又は、重複伝送のためのアクティベーション／ディアクティベーションシグナリングを送信することを含む。
【００２０】
本発明の実施例の第八側面によれば、重複伝送の方法が提供され、前記方法は、
ネットワーク装置から、ユーザ装置がＣＡ及び／又は少なくとも２つの接続の操作を行うように設定するための第一設定メッセージを受信し；及び
ネットワーク装置から、重複伝送のための第二設定メッセージ、及び／又は、重複伝送のためのアクティベーション／ディアクティベーションシグナリングを受信することを含む。
【００２１】
本発明の実施例の第九側面によれば、重複伝送の方法が提供され、前記方法は、
ユーザ装置が、ＣＡ及び／又は少なくとも２つの接続の操作を行うように設定するための第一設定メッセージを受信し；及び
前記ユーザ装置が重複伝送を行うための経路を確定することを含む。
【００２２】
本発明の実施例の第十側面によれば、コンピュータ可読プログラムが提供され、そのうち、重複伝送の設定及び／又はアクティベーション装置又はネットワーク装置の中で前記プログラムを実行するときに、前記プログラムは、前記重複伝送の設定及び／又はアクティベーション装置又はネットワーク装置に、本発明の実施例の第七側面に記載の重複伝送の設定及び／又はアクティベーション方法を実行させる。
【００２３】
本発明の実施例の第十一側面によれば、コンピュータ可読プログラムを記憶した記憶媒体が提供され、そのうち、前記コンピュータ可読プログラムは、前記重複伝送の設定及び／又はアクティベーション装置又はネットワーク装置に、本発明の実施例の第七側面に記載の重複伝送の設定及び／又はアクティベーション方法を実行させる。
【００２４】
本発明の実施例の第十二側面によれば、コンピュータ可読プログラムが提供され、そのうち、重複伝送の装置又はユーザ装置の中で前記プログラムを実行するときに、前記プログラムは、前記重複伝送の装置又はユーザ装置に、本発明の実施例の第八側面に記載の重複伝送の方法を実行させる。
【００２５】
本発明の実施例の第十三側面によれば、コンピュータ可読プログラムを記憶した記憶媒体が提供され、そのうち、前記コンピュータ可読プログラムは、前記重複伝送の装置又はユーザ装置に、本発明の実施例の第八側面に記載の重複伝送の方法を実行させる。
【００２６】
本発明の実施例の第十四側面によれば、コンピュータ可読プログラムが提供され、そのうち、重複伝送の装置又はユーザ装置の中で前記プログラムを実行するときに、前記プログラムは、前記重複伝送の装置又はユーザ装置に、本発明の実施例の第九側面に記載の重複伝送の方法を実行させる。
【００２７】
本発明の実施例の第十五側面によれば、コンピュータ可読プログラムを記憶した記憶媒体が提供され、そのうち、前記コンピュータ可読プログラムは、前記重複伝送の装置又はユーザ装置に、本発明の実施例の第九側面に記載の重複伝送の方法を実行させる。
【００２８】
本発明の有益な効果は次の通りであり、即ち、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ＭＣ又は多経路のＣＡがユーザ装置に設定されるときに、比較的良い品質を有する経路を用いてデータの重複伝送を行うことで、重複伝送のデータ伝送信頼性に対する利得を保証することができ、また、過多の無線リソースを占用することがないため、比較的高い無線リソース利用率を保証することもできる。
【００２９】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００３０】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずにこれらの図面に基づいて他の図面を得ることもできる。
【図１】本発明の実施例における通信システムを示す図である。
【図２】本発明の実施例１における重複伝送の設定及び／又はアクティベーション方法を示す図である。
【図３】本発明の実施例２における重複伝送の設定及び／又はアクティベーション方法を示す図である。
【図４】本発明の実施例２において重複伝送と設定されるＤＲＢとセル組とのマッピング関係を示す図である。
【図５】本発明の実施例３における重複伝送の設定及び／又はアクティベーション方法を示す図である。
【図６】本発明の実施例３において重複伝送と設定されるＤＲＢとセル組とのマッピング関係を示す図である。
【図７】本発明の実施例４における重複伝送の設定及び／又はアクティベーション方法を示す図である。
【図８】本発明の実施例４における重複伝送のための経路の使用状態の指示を示す図である。
【図９】本発明の実施例４において重複伝送と設定されるＤＲＢとセル組とのマッピング関係を示す図である。
【図１０】本発明の実施例５における重複伝送の設定及び／又はアクティベーション方法を示す図である。
【図１１】本発明の実施例５におけるアクティベーション／ディアクティベーションシグナリングを示す図である。
【図１２】本発明の実施例６における重複伝送の方法を示す図である。
【図１３】本発明の実施例７における重複伝送の方法を示す図である。
【図１４】本発明の実施例８における重複伝送の方法を示す図である。
【図１５】本発明の実施例９における重複伝送の方法を示す図である。
【図１６】本発明の実施例１０における重複伝送の方法を示す図である。
【図１７】本発明の実施例１１における重複伝送の方法を示す図である。
【図１８】本発明の実施例１１における重複伝送の方法を示す他の図である。
【図１９】本発明の実施例１１における重複伝送の方法を示す他の図である。
【図２０】本発明の実施例１２における重複伝送の方法を示す図である。
【図２１】本発明の実施例１３における重複伝送の方法を示す図である。
【図２２】本発明の実施例１４における重複伝送の設定及び／又はアクティベーション装置を示す図である。
【図２３】本発明の実施例１５における重複伝送の装置を示す図である。
【図２４】本発明の実施例１５における重複伝送の装置を示す他の図である。
【図２５】本発明の実施例１５における重複伝送の装置を示す他の図である。
【図２６】本発明の実施例１５における重複伝送の装置を示す他の図である。
【図２７】本発明の実施例１６における重複伝送の装置を示す図である。
【図２８】本発明の実施例１７におけるネットワーク装置の構成を示す図である。
【図２９】本発明の実施例１８におけるユーザ装置のシステム構成を示すブロック図である。
【図３０】本発明の実施例１９におけるユーザ装置のシステム構成を示すブロック図である。
【発明を実施するための形態】
【００３１】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、ち、本発明は、添付した特許請求の範囲内のすべての変更、変形及び代替によるものも含むということである。
【００３２】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００３３】
また、通信システムにおける装置間の通信は、任意の段階の通信プロトコルに従って行われても良く、例えば、次のような通信プロトコルを含んでも良いが、それに限定されず、即ち、ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００３４】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００３５】
そのうち、基地局は、次のようなものを含んでも良いが、それに限定されず、即ち、ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００３６】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００３７】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００３８】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行うマシン又は装置であっても良く、例えば、次のようなものを含んでも良いが、それに限定されず、即ち、ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００３９】
また、用語「ネットワーク側」又は「ネットワーク装置側」とは、ネットワークの側を指し、又はる基地局であっても良く、上述のような１つ又は複数のネットワーク装置を含んでも良い。用語「ユーザ側」又は「端末側」又は「端末装置側」とは、ユーザ又は端末の側を指し、又はるＵＥであっても良く、上述のような１つ又は複数の端末装置を含んでも良い。
【００４０】
以下、例を挙げて本発明の実施例におけるシナリオについて説明を行うが、本発明は、これに限られない。
【００４１】
図１は、本発明の実施例における通信システムを示す図であり、端末装置及びネットワーク装置を例にとる場合を例示的に示している。図１に示すように、通信システム１００は第一ネットワーク装置１０１、第二ネットワーク装置１０２、第三ネットワーク装置１０３及びユーザ装置１０４を含んでも良く、便宜のため、図１では１つのみのユーザ装置を例にとって説明を行うが、本発明の実施例は１つのユーザ装置に限定されない。
【００４２】
本発明の実施例では、ユーザ装置１０４は、第一ネットワーク装置１０１、第二ネットワーク装置１０２、第三ネットワーク装置１０３及びユーザ装置１０４とＭＣを形成するように設定され、第一ネットワーク装置１０１、第二ネットワーク装置１０２、第三ネットワーク装置１０３及びユーザ装置１０４の間は、従来のトラフィック又は将来実施可能なトラフィックを行っても良い。例えば、これらのトラフィックは、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【実施例１】
【００４３】
本発明の実施例は重複伝送の設定及び／又はアクティベーション方法を提供し、該方法はネットワーク装置側に応用される。
【００４４】
図２は本発明の実施例１の重複伝送の設定及び／又はアクティベーション方法を示す図である。図２に示すように、該方法は以下のステップを含む。
【００４５】
ステップ２０１：ユーザ装置に、該ユーザ装置がＣＡ及び／又は少なくとも２つの接続の操作を行うように設定するための第一設定メッセージを送信し；
ステップ２０２：該ユーザ装置に、重複伝送のための第二設定メッセージ、及び／又は、重複伝送のためのアクティベーション／ディアクティベーションシグナリングを送信する。
【００４６】
このように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ＭＣ又は多経路のＣＡがユーザ装置に設定されるときに、比較的良い品質を有する経路を用いてデータの重複伝送を行うことで、重複伝送のデータ伝送信頼性に対する利得を保証することができ、また、過多の無線リソースを占用することがないため、比較的高い無線リソース利用率を保証することもできる。
【００４７】
ステップ２０１において、ユーザ装置に送信する第一設定メッセージは少なくとも１つのセル組の設定情報を含んでも良く、即ち、主セル組の設定情報を含み、又は、主セル組及び少なくとも１つのセコンダリーセル組の設定情報を含む。また、無線リソース制御（Ｒａｄｉｏ  Ｒｅｓｏｕｒｃｅ  Ｃｏｎｔｒｏｌ、ＲＲＣ）シグナリングにより該第一設定メッセージを送信しても良い。
【００４８】
本実施例では、“ＣＡ”とは、複数のコンポネントがＣＡ（キャリアアグリゲーション）されることを指し、各キャリア上で１つのサービングセルがＵＥのために設定されることで、より大きい伝送バンド幅が実現される。
【００４９】
本実施例では、“少なくとも２つの接続”はＭＣ（マルチ接続）とも称され、それは、ＤＣ（デュアル接続）及び３つ又は３つ以上の接続を含む。言い換えると、少なくとも２つの接続が設定されているＵＥは、少なくとも２つのネットワーク装置又はセル組に接続される。例えば、３つ又は３つ以上のネットワーク装置又はセル組に接続される。
【００５０】
本実施例では、“経路”は次の少なくとも１つを含んでも良く、即ち、ネットワーク装置、ノード、セル組、ＭＡＣ実体、及び、これらのネットワーク装置、ノード、セル組、ＭＡＣ実体のうちの少なくとも１つに関するＲＬＣ実体及び／又は論理チャネルである。
【００５１】
例えば、ＣＡのモードを採用して重複伝送を行うときに、該経路はＲＬＣ実体及び／又は論理チャネルであっても良く、“少なくとも２つの接続”のモードを採用して重複伝送を行うときに、該経路はネットワーク装置、ノード、セル組及びＭＡＣ実体のうちの少なくとも１つ、及び／又は、これらのネットワーク装置／ノード／セル組／ＭＡＣ実体のＲＬＣ実体及び／又は論理チャネルであっても良い。
【００５２】
ステップ２０２では、該ユーザ装置に、重複伝送のための第二設定メッセージ、及び／又は、重複伝送のためのアクティベーション／ディアクティベーションシグナリングを送信する。即ち、ステップ２０１における第一設定メッセージの送信先（対象）と同じであるユーザ装置に重複伝送のための該第二設定メッセージ及び／又はアクティベーション／ディアクティベーションシグナリングを送信する。
【００５３】
本実施例では、該第二設定メッセージは、ユーザ装置の少なくとも１つのＤＲＢに対して、該ＤＲＢが重複伝送をサポートするかを設定しても良い。
【００５４】
本実施例では、重複伝送のアクティベーション／ディアクティベーション（ｄｕｐｌｉｃａｔｉｏｎ  ａｃｔｉｖａｔｉｏｎ／ｄｅａｃｔｉｖａｔｉｏｎ）ための指令は、重複伝送のアクティベーション及び／又はディアクティベーションに対しての指示であっても良い。
【００５５】
本実施例では、重複伝送のアクティベーションは、ＭＡＣ実体に関する少なくとも１つのＤＲＢが異なる経路（ｌｅｇ）を使用して同じデータを伝送することであっても良く、重複伝送のディアクティベーションは、該ＤＲＢが或る経路を用いてデータを伝送せず、又は、シングル経路を用いてデータを伝送し、又は、異なる経路を使用して異なるデータを伝送し、即ち、スプリット伝送のモードを採用することを表しても良い。
【００５６】
ステップ２０２では、重複伝送のための該第二設定メッセージのみを送信しても良く、又は、重複伝送のための該アクティベーション／ディアクティベーションシグナリングのみを送信しても良く、又は、重複伝送のための該第二設定メッセージ及び該アクティベーション／ディアクティベーションシグナリングを送信しても良い。
【００５７】
本実施例では、該第一設定メッセージ及び該第二設定メッセージは同一のメッセージであっても良い。言い換えると、同一のメッセージ（例えば、ＲＲＣ  ｒｅｃｏｎｆｉｇｕｒａｔｉｏｎメッセージ又はＲＲＣ  ｒｅｓｕｍｅメッセージなど）に該第一設定メッセージ及び該第二設定メッセージにおける情報を含めても良い。例えば、ネットワーク装置がユーザ装置に該第一設定メッセージ及び該第二設定メッセージにおける情報を含む設定メッセージを送信した場合、ステップ２０１での第一設定メッセージに対しての送信及びステップ２０２での第二設定メッセージに対しての送信は合併して行うことができる。
【００５８】
本実施例では、ユーザ装置に第一設定メッセージを送信するネットワーク装置及び該ユーザ装置に第二設定メッセージ及び／又はアクティベーション／ディアクティベーションシグナリングを送信するネットワーク装置は同一のネットワーク装置であっても良く、異なるネットワーク装置であっても良く、本発明の実施例はこれについて限定しない。
【００５９】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないから、比較的高い無線リソース利用率を保証することもできる。
【実施例２】
【００６０】
本発明の実施例はさらに重複伝送の設定及び／又はアクティベーション方法を提供し、該方法は実施例１における重複伝送の設定方法をさらに説明するものであり、且つネットワーク装置側に応用される。
【００６１】
図３は本発明の実施例２の重複伝送の設定及び／又はアクティベーション方法を示す図である。図３に示すように、該方法は以下のステップを含む。
ステップ３０１：ユーザ装置に、該ユーザ装置がＣＡ及び／又は少なくとも２つの接続の操作を行うように設定するための第一設定メッセージを送信し；
ステップ３０２：ＲＲＣシグナリングにより該ユーザ装置に重複伝送のための第二設定メッセージを送信する。
【００６２】
本実施例では、ステップ３０１は実施例１のステップ２０１と同じであり、ここではその詳しい説明を省略する。
【００６３】
本実施例では、ステップ３０２は実施例１のステップ２０２での該第二設定メッセージの送信をさらに説明するものである。
【００６４】
本実施例では、該第二設定メッセージを送信するＲＲＣシグナリングは例えば、ＲＲＣｒｅｃｏｎｆｉｇｕｒａｔｉｏｎメッセージ又はＲＲＣｒｅｓｕｍｅメッセージ又はＲＲＣＳｅｔｕｐメッセージ又はＲＲＣＲｅｅｓｔａｂｌｉｓｈｍｅｎｔメッセージであっても良い。
【００６５】
本実施例では、ユーザ装置のＤＲＢに対して、それが重複伝送をサポートするかを設定することができる。そのうち、ユーザ装置は、それに接続されるネットワーク装置又はセル組に対応する少なくとも１つのＭＡＣ実体を有し、該ＭＡＣ実体に関するＤＲＢは少なくとも１つである。
【００６６】
本実施例では、該ユーザ装置に送信する該第二設定メッセージは次の少なくとも１つの情報を含んでも良く、即ち、少なくとも１つのＤＲＢが重複伝送を行うために使用する経路の情報；少なくとも１つの経路が重複伝送のために用いられ得るかの情報；及び、少なくとも１つの経路について、該経路を用いて重複伝送を行うように設定されるＤＲＢの情報である。
【００６７】
そのうち、少なくとも１つのＤＲＢが重複伝送を行うために使用する経路の情報は次の少なくとも１つを含んでも良く、即ち、少なくとも１つのＤＲＢが重複伝送されるために使用するネットワーク装置標識（ＩＤ）、セル組標識、ＲＬＣ実体標識及び論理チャネル標識であり；少なくとも１つの経路が重複伝送を行うために用いられ得るかの情報は、少なくとも１つのネットワーク装置又は少なくとも１つのセル組が重複伝送を行うために用いられ得るかの情報を含んでも良く；少なくとも１つの経路について、該経路を使用して重複伝送を行うように設定されるＤＲＢの情報は、少なくとも１つのネットワーク装置又は少なくとも１つのセル組について、該ネットワーク装置又は該セル組を使用して重複伝送を行うように設定されるＤＲＢの情報、例えば、ＤＲＢの標識又は索引を含んでも良い。
【００６８】
図４は本発明の実施例２において重複伝送と設定されるＤＲＢとセル組とのマッピング関係を示す図である。図４に示すように、ＵＥは主セル組（ＭＣＧ）、第一セコンダリーセル組（ＳＣＧ１）及び第二セコンダリーセル組（ＳＣＧ２）とＭＣを構成し、該ＵＥは、ＭＣＧに対応する第一ＭＡＣ実体、ＳＣＧ１に対応する第二ＭＡＣ実体及びＳＣＧ２に対応する第三ＭＡＣ実体を有する。第一ＭＡＣ実体に関するＤＲＢはＤＲＢ１及びＤＲＢ２であり、第二ＭＡＣ実体に関するＤＲＢはＤＲＢ２及びＤＲＢ３であり、第三ＭＡＣ実体に関するＤＲＢはＤＲＢ２及びＤＲＢ３及びＤＲＢ４である。図４における各ＰＤＣＰ実体の下の実線はＣＡモードの重複伝送を示し、点線は少なくとも２つのセル組を用いる重複伝送を示す。
【００６９】
図４に示すように、ＤＲＢ１はＭＣＧ内でＣＡのモードを採用し、ＲＬＣ１−１及びＲＬＣ１−２を用いて重複伝送を行い；ＤＲＢ２はＭＧＢ、ＳＣＧ１及びＳＣＧ２を用いて重複伝送を行い、また、ＲＬＣ２−１、ＲＬＣ２−２及びＲＬＣ２−３を使用して重複伝送を行い；ＤＲＢ３はＳＣＧ１及びＳＣＧ２を使用して重複伝送を行い、また、ＲＬＣ３−１及びＲＬＣ３−２を用いて重複伝送を行い；ＤＲＢ４はＳＣＧ２内でＣＡのモードを採用し、ＲＬＣ４−１及びＲＬＣ４−２を用いて重複伝送を行う。
【００７０】
本実施例では、該第二設定メッセージが、少なくとも１つのＤＲＢが重複伝送を行うために使用するネットワーク装置標識、セル組標識、ＲＬＣ実体標識及び論理チャネル標識の少なくとも１つを含む場合、例えば、図４に示すマッピング関係について、ＤＲＢ１に対して設定する重複伝送に使用するセル組標識、ＲＬＣ実体標識及び論理チャネル標識は｛（ＭＣＧ、ＲＬＣ１−１、ＬＣＨ１−１）、（ＭＣＧ、ＲＬＣ１−２、ＬＣＨ１−２）｝であり、ＤＲＢ２に対して設定する重複伝送に使用するセル組標識、ＲＬＣ実体標識及び論理チャネル標識は｛（ＭＣＧ、ＲＬＣ２−１、ＬＣＨ２−１）、（ＳＣＧ１、ＲＬＣ２−２、ＬＣＨ２−２）、（ＳＣＧ２、ＲＬＣ２−３、ＬＣＨ２−３）｝であり、ＤＲＢ３に対して設定する重複伝送に使用するセル組標識、ＲＬＣ実体標識及び論理チャネル標識は｛（ＳＣＧ１、ＲＬＣ３−１、ＬＣＨ３−１）、（ＳＣＧ２、ＲＬＣ３−２、ＬＣＨ３−２）｝であり、ＤＲＢ４に対して設定する重複伝送に使用するセル組標識、ＲＬＣ実体標識及び論理チャネル標識は｛（ＳＣＧ２、ＲＬＣ４−１、ＬＣＨ４−１）、（ＳＣＧ２、ＲＬＣ４−２、ＬＣＨ４−２）｝である。
【００７１】
本実施例では、該第二設定メッセージが、少なくとも１つのＤＲＢが重複伝送を行うために使用するネットワーク装置標識、セル組標識、ＲＬＣ実体標識及び論理チャネル標識の少なくとも１つを含む場合、また、例えば、各ＤＲＢについて、それがＭＣの操作を行うために使用する少なくとも２つのセル組情報及び／又はＲＬＣ実体情報及び／又は論理チャネル情報を設定しても良い。例えば、セル組情報はセル組の標識又は索引であっても良く、ＲＬＣ実体情報はＲＬＣ実体の標識又は索引であっても良く、論理チャネル情報は論理チャネルの標識又は索引であっても良い。また、各ＤＲＢについて、１ｂｉｔを採用して、これらのＭＣの操作に使用する少なくとも２つのセル組情報及び／又はＲＬＣ実体情報、及び／又は、論理チャネル情報が該ＤＲＢの重複伝送に用いられ得るかを指示し、又は、１ｂｉｔを採用し、該ｂｉｔがｔｒｕｅであるときに、ＭＣの操作に使用する少なくとも２つのセル組情報及び／又はＲＬＣ実体情報、及び／又は、論理チャネル情報が該ＤＲＢの重複伝送に用いられ得ることを指示する。
【００７２】
本実施例では、１つのＤＲＢについて、それに対して設定する、重複伝送を行うために使用する少なくとも２つのネットワーク装置標識又は少なくとも２つのセル組標識が同じであるときに、該ＤＲＢがＣＡのモードを用いて重複伝送を行うことを表す。
【００７３】
例えば、上述の例では、ＤＲＢ１に対して設定する、重複伝送に使用するセル組標識がすべてＭＣＧである場合、ＤＲＢ１がＭＣＧ内でＣＡのモードを採用してデータの重複伝送を行うことを示し；ＤＲＢ４に対して設定する、重複伝送に使用するセル組標識がすべてＳＣＧ２である場合、ＤＲＢ４がＳＣＧ２内でＣＡのモードを採用してデータの重複伝送を行うことを示す。
【００７４】
本実施例では、該第二設定メッセージが、少なくとも１つのネットワーク装置又は少なくとも１つのセル組が重複伝送を行うために用いられ得るかの情報を含む場合、該設定は、該ネットワーク装置又はセル組に関するすべてのＤＲＢにとって有効である。例えば、図４に示すマッピング関係の場合、ＤＲＢ１〜ＤＲＢ４について、ＭＣＧ、ＳＣＧ１及びＳＣＧ２がすべて重複伝送に用いられ得ると設定しても良い。
【００７５】
本実施例では、該第二設定メッセージが、少なくとも１つのネットワーク装置又は少なくとも１つのセル組について、該ネットワーク装置又は該セル組を用いて重複伝送を行うと設定されるＤＲＢの情報を含む場合、例えば、図４に示すマッピング関係について、ＭＣＧに対して、ＤＲＢ１及びＤＲＢ２がＭＣＧを用いて重複伝送を行うことができると設定し；ＳＣＧ１に対して、ＤＲＢ２及びＤＲＢ３がＳＣＧ１を採用して重複伝送を行うことができると設定し；ＳＣＧ２に対して、ＤＲＢ２、ＤＲＢ３及びＤＲＢ４がＳＣＧ２を採用して重複伝送を行うことができると設定する。
【００７６】
このように、本実施例の重複伝送の設定方法により、各セル組のチャネル状態に基づいて、ＲＲＣシグナリングを採用して重複伝送に使用するセル組を設定することで、各ＤＲＢに対してそれぞれ設定を行っても良く、すべてのＤＲＢに対して設定を行っても良いため、重複伝送が、チャネル品質が近い又は比較的良いセル組を採用することを保証することができ、信頼性の顕著な向上に有利である。
【００７７】
本実施例では、重複伝送と設定される少なくとも１つのＤＲＢについて、さらにその重複伝送のモードがＣＡモードであり、又は、少なくとも２つのネットワーク装置又は少なくとも２つのセル組を使用して重複伝送を行うモードであることを設定することができる。例えば、該ＤＲＢに対する設定に１つのパラメータを増やし、その値が０であることは、その重複伝送のモードがＣＡモードであることを示し、その値が１であることは、そその重複伝送のモードが少なくとも２つのネットワーク装置又は少なくとも２つのセル組を使用して重複伝送を行うモードであることを示すことができる。或いは、２つのパラメータを増やし、パラメータ１及びパラメータ２と記し、パラメータ１の値がｔｒｕｅであるときに、ＤＲＢの重複伝送のモードがＣＡモードであることを示し、パラメータ２の値がｔｒｕｅであるときに、ＤＲＢの重複伝送のモードが少なくとも２つのネットワーク装置又は少なくとも２つのセル組を使用して重複伝送のモードを行うことを示すこともできる。
【００７８】
ステップ３０２の後に、さらに該ユーザ装置に、重複伝送のためのアクティベーション／ディアクティベーション指令を、ＤＲＢの重複伝送をアクティベーション／ディアクティベーションするために送信しても良い。
【００７９】
例えば、図４に示すように、重複伝送のアクティベーション／ディアクティベーションのためのＭＡＣ  ＣＥにより、重複伝送のアクティベーション状態を指示することができる。第一ＭＡＣ実体は、ＭＣＧに対応するＭＡＣ  ＣＥを受信し、第二ＭＡＣ実体は、ＳＣＧに対応するＭＡＣ  ＣＥを受信し、第三ＭＡＣ実体は、ＭＣＧに対応するＭＡＣ  ＣＥを受信する。
【００８０】
例えば、各ＭＡＣ  ＣＥはすべて８ビットからなり、左から右へ順にＤ７〜Ｄ０である。Ｄｉの中のｉは該ＭＡＣ実体に関する、重複伝送と設定される１つのＤＲＢを示し、そのＤＲＢ  ＩＤはｉであり、Ｄｉは該ＤＲＢの重複伝送のアクティベーション状態を示し、各ＤＲＢの重複伝送のアクティベーション状態はＤＲＢの索引の降順又は昇順の方式で配列される。第一ＭＡＣ実体が受信した、ＭＣＧに対応するＭＡＣ  ＣＥを例にとって説明を行う。図４に示すように、第一ＭＡＣ実体に関するＤＲＢがＤＲＢ１及びＤＲＢ２であり、ＤＲＢ１の重複伝送のアクティベーション状態がＤ０で表され、ＤＲＢ２の重複伝送のアクティベーション状態がＤ１で表され、第一ＭＡＣ実体に関する、重複伝送と設定されるＤＲＢが２つだけあるため、Ｄ２〜Ｄ７は０と設定される。Ｄ０が１であるときに、ＤＲＢ１の重複伝送がアクティベーションされることを示し、Ｄ０が０であるときに、ＤＲＢ１の重複伝送がディアクティベーションされることを示し、Ｄ１が１であるときに、ＤＲＢ２の重複伝送がアクティベーションされることを示し、Ｄ１が０であるときに、ＤＲＢ２の重複伝送がディアクティベーションされることを示す。
【００８１】
また、本実施例の設定方法は、実施例１及び以下の実施例３又は実施例４におけるアクティベーション／ディアクティベーション指令の送信方法と組み合わせても良い。
【００８２】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないから、比較的高い無線リソース利用率を保証することもできる。
【実施例３】
【００８３】
本発明の実施例はさらに重複伝送の設定及び／又はアクティベーション方法を提供し、該方法は実施例１の重複伝送のアクティベーション方法をさらに説明するものであり、且つネットワーク装置側に応用される。
【００８４】
図５は本発明の実施例３の重複伝送の設定及び／又はアクティベーション方法を示す図である。図５に示すように、該方法は以下のステップを含む。
【００８５】
ステップ５０１：ユーザ装置に、該ユーザ装置がＣＡ及び／又は少なくとも２つの接続の操作を行うように設定するための第一設定メッセージを送信し；
ステップ５０２：ネットワーク装置がユーザ装置に、重複伝送のためのアクティベーション／ディアクティベーションシグナリングを送信し、及び／又は、他のネットワーク装置が該ユーザ装置に、重複伝送のための該アクティベーション／ディアクティベーションシグナリングを送信する。
【００８６】
本実施例では、ステップ５０１は実施例１の中のステップ２０１と同じであるため、ここではその詳しい説明を省略する。
【００８７】
ステップ５０１とステップ５０２との間には、さらに、該ユーザ装置に重複伝送のための設定メッセージを送信するステップが含まれても良く、該設定方法は、実施例１及び実施例２に記載の方法を使用して良いから、ここではその詳しい説明を省略する。
【００８８】
本実施例では、ステップ５０２は、実施例１の中のステップ２０２における、重複伝送のためのアクティベーション／ディアクティベーションシグナリングの送信をさらに説明するものである。
【００８９】
ステップ５０２では、ネットワーク装置が該ユーザ装置に重複伝送のためのアクティベーション／ディアクティベーションシグナリングを送信することについて、該アクティベーション／ディアクティベーションシグナリングは、ＤＲＢの該ネットワーク装置における重複伝送のアクティベーション状態の指示を含み、他のネットワーク装置が該ユーザ装置に重複伝送のための該アクティベーション／ディアクティベーションシグナリングを送信することについて、重複伝送のための該アクティベーション／ディアクティベーションシグナリングは、ＤＲＢの該他のネットワーク装置における重複伝送のアクティベーション状態の指示を含む。
【００９０】
本実施例では、該ユーザ装置は該ネットワーク装置及び該他のネットワーク装置と少なくとも２つの接続が設定される。言い換えると、ＭＣと構成される少なくとも２つのネットワーク装置は、それぞれ、該ユーザ装置に各自の重複伝送のためのアクティベーション／ディアクティベーションシグナリングを送信する。
【００９１】
ステップ５０２では、該ネットワーク装置又は他のネットワーク装置はＭＡＣ  ＣＥ又はＰＤＣＰの制御ＰＤＵを用いて重複伝送のための該アクティベーション／ディアクティベーションシグナリングを送信することができる。
【００９２】
図６は本発明の実施例３において重複伝送と設定されるＤＲＢとセル組とのマッピング関係を示す図である。図６に示すように、ＵＥは主セル組（ＭＣＧ）、第一セコンダリーセル組（ＳＣＧ１）及び第二セコンダリーセル組（ＳＣＧ２）とＭＣを構成し、該ＵＥはＭＣＧに対応する第一ＭＡＣ実体、ＳＣＧ１に対応する第二ＭＡＣ実体、及びＳＣＧ２に対応する第三ＭＡＣ実体を有する。第一ＭＡＣ実体はＭＣＧが送信するＭＡＣ  ＣＥを受信し、第二ＭＡＣ実体はＳＣＧが送信するＭＡＣ  ＣＥを受信し、第三ＭＡＣ実体はＭＣＧが送信するＭＡＣ  ＣＥを受信する。第一ＭＡＣ実体に関する、重複伝送と設定されるＤＲＢはＤＲＢ１、ＤＲＢ２及びＤＲＢ３であり、第二ＭＡＣ実体に関する、重複伝送と設定されるＤＲＢはＤＲＢ２及びＤＲＢ３であり、第三ＭＡＣ実体に関する、重複伝送と設定されるＤＲＢはＤＲＢ２、ＤＲＢ３及びＤＲＢ４である。図６における各ＰＤＣＰ実体の下の実線はＣＡモードの重複伝送を示し、点線は少なくとも２つのセル組を使用する重複伝送を示す。
【００９３】
例えば、第一ＭＡＣ実体が受信したＭＡＣ  ＣＥが００００００１０であるとする場合、該第一ＭＡＣ実体では、ＤＲＢ１については重複伝送のディアクティベーションであり、ＤＲＢ２については重複伝送のアクティベーションであり、ＤＲＢ３については重複伝送のディアクティベーションである。
【００９４】
第二ＭＡＣ実体が受信したＭＡＣ  ＣＥが００００００１１であるとする場合、該第二ＭＡＣ実体では、ＤＲＢ３については重複伝送のアクティベーションであり、ＤＲＢ２については重複伝送のアクティベーションである。
【００９５】
第三ＭＡＣ実体が受信したＭＡＣ  ＣＥが００００００１１であるとする場合、該第三ＭＡＣ実体では、ＤＲＢ４については重複伝送のディアクティベーションであり、ＤＲＢ３については重複伝送のアクティベーションであり、ＤＲＢ２については重複伝送のアクティベーションである。
【００９６】
以上のアクティベーション結果から、ＤＲＢ１について、ＵＥはＭＣＧにおける重複伝送（ＣＡモード）をアクティベーションすると見なし、ＤＲＢ２について、ＵＥはＭＣＧ、ＳＣＧ１及びＳＣＧ２における重複伝送をアクティベーションすると見なし、ＤＲＢ３について、ＵＥはＳＣＧ１及びＳＣＧ２における重複伝送をアクティベーションすると見なし、ＤＲＢ４について、ＵＥはＳＣＧ２における重複伝送（ＣＡモード）をアクティベーションすると見なす。
【００９７】
このように、ＭＡＣ  ＣＥにより少なくとも１つのＤＲＢの重複伝送のアクティベーション又はディアクティベーションを行うことで、より動的且つより柔軟になり、チャネルの迅速な変化に適応し且つシグナリングオーバーヘッドを節約することができる。また、各ＤＲＢに対してそれぞれアクティベーション又はディアクティベーションの操作を行うことで、異なるＤＲＢのサービス品質（Ｑｕａｌｉｔｙ  ｏｆ  Ｓｅｒｖｉｃｅ、ＱｏＳ）の要求に基づいて、対応する操作を行い、対応する信頼性又は遅延要求を達成することができる。
【００９８】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないので、比較的高い無線リソース利用率を保証することもできる。
【実施例４】
【００９９】
本発明の実施例はさらに重複伝送の設定及び／又はアクティベーション方法を提供し、該方法は実施例１における重複伝送のアクティベーション方法をさらに説明するものであり、且つネットワーク装置側に応用される。
【０１００】
図７は本発明の実施例４の重複伝送の設定及び／又はアクティベーション方法を示す図である。図７に示すように、該方法は以下のステップを含む。
【０１０１】
ステップ７０１：ユーザ装置に、該ユーザ装置がＣＡ及び／又は少なくとも２つの接続の操作を行うように設定するための第一設定メッセージを送信し；
ステップ７０２：該ユーザ装置に、重複伝送のためのアクティベーション／ディアクティベーションシグナリングを送信し、重複伝送のための該アクティベーション／ディアクティベーションシグナリングは重複伝送のための経路の使用状態の指示を含む。
【０１０２】
本実施例では、ステップ７０１は実施例１の中のステップ２０１と同じであり、ここではその詳しい説明を省略する。
【０１０３】
ステップ７０１とステップ７０２の間には、さらに、該ユーザ装置に重複伝送のための設定メッセージを送信するステップが含まれても良く、該設定方法は実施例１及び実施例２に記載の方法を使用することができ、ここではその詳しい説明を省略する。
【０１０４】
本実施例では、ステップ７０２は実施例１の中のステップ２０２における重複伝送のためのアクティベーション／ディアクティベーションシグナリングの送信をさらに説明するものである。
【０１０５】
ステップ７０２では、該ユーザ装置に重複伝送のためのアクティベーション／ディアクティベーションシグナリングを送信し、重複伝送のための該アクティベーション／ディアクティベーションシグナリングは重複伝送のための経路の使用状態の指示を含み、そのうち、ＭＡＣ  ＣＥ又はＰＤＣＰの制御ＰＤＵにより重複伝送のための該アクティベーション／ディアクティベーションシグナリングを送信することができる。
【０１０６】
本実施例では、該重複伝送のための経路の使用状態の指示は所定数量の複数のビットにより構成されても良い。例えば、該重複伝送のための経路の使用状態の指示は８ビットにより構成され得る。
【０１０７】
本実施例では、該経路はネットワーク装置、セル組、ＭＡＣ実体、ＲＬＣ実体及び論理チャネルのうちの少なくとも１つを含んでも良い。
【０１０８】
本実施例では、該重複伝送のための経路の使用状態の指示は、該ネットワーク装置又はセル組又はＭＡＣ実体又はＲＬＣ実体又は論理チャネルの索引又は標識に対応するネットワーク装置又はセル組又はＭＡＣ実体又はＲＬＣ実体又は論理チャネルの使用状態を含んでも良い。
【０１０９】
図８は本発明の実施例４の重複伝送のための経路の使用状態の指示を示す図である。図８に示すように、該指示はＮ７〜Ｎ０により構成され、Ｎｉの中のｉは経路の索引を表し、Ｎｉは該経路の使用状態を示し、各経路の使用状態はその索引の降順又は昇順の方式で配列される。そのうち、Ｎｉが１であるときに、該経路が有効であることを示し、即ち、索引がｉである経路を用いて重複伝送を行うことであり、Ｎｉが０であるときに、該経路が無効であることを示し、即ち、索引がｉである経路を用いて重複伝送を行わないことである。
【０１１０】
図９は本発明の実施例４において重複伝送と設定されるＤＲＢとセル組とのマッピング関係を示す図である。図９に示すように、ＵＥは主セル組（ＭＣＧ）、第一セコンダリーセル組（ＳＣＧ１）及び第二セコンダリーセル組（ＳＣＧ２）とＭＣを構成する。図９における各ＰＤＣＰ実体の下の実線はＣＡモードの重複伝送を示し、点線は少なくとも２つのセル組を使用する重複伝送を示し、一点鎖線はスプリット伝送又は自セル組内のみの伝送を示す。
【０１１１】
例えば、図８及び図９に示すように、Ｎ２がＭＣＧの使用状態を示し、Ｎ１がＳＣＧ１の使用状態を示し、Ｎ０がＳＣＧ２の使用状態を示し、該指示が０００００１１０である場合、次のようなことを表し、即ち、重複伝送のためのＭＣＧが有効であり、即ち、ＭＣＧを用いて重複伝送を行い；重複伝送のためのＳＣＧ１が有効であり、即ち、ＳＣＧ１を用いて重複伝送を行い；重複伝送のためのＳＣＧ２が無効であり、即ち、ＳＣＧ２を使用して重複伝送を行わない。
【０１１２】
本実施例では、現在にスプリット伝送及び／又は重複伝送と設定されるすべてのＤＲＢについて、使用状態が有効であるときに、該ＤＲＢが前記ネットワーク装置又はセル組又はＭＡＣ実体又はＲＬＣ実体又は論理チャネルを用いて重複伝送を行うことを示し、使用状態が無効であるときに、該ＤＲＢが前記ネットワーク装置又はセル組又はＭＡＣ実体又はＲＬＣ実体又は論理チャネルを使用して重複伝送を行わないことを示す。
【０１１３】
また、１つのＤＲＢについて、該ＤＲＢのスプリット伝送と設定されない経路について、該経路を使用して重複伝送を行う指示を無視する。
【０１１４】
例えば、図８及び図９に示すように、スプリット伝送モードと設定されるＤＲＢ（即ち、ＤＲＢ２及びＤＲＢ３）について、すべては、ＭＣＧの中のＲＬＣ実体を重複伝送のために使用し、ＳＣＧ１の中のＲＬＣ実体を重複伝送のために使用し、ＳＣＧ２の中のＲＬＣ実体を重複伝送のために使用しない。これにより、ＤＲＢ２についてＭＣＧ及びＳＣＧ１を用いて重複伝送を行う。また、ＤＲＢ３について、ＭＣＧがスプリット伝送の経路であることが設定されないから、ＤＲＢ３についてＭＣＧを使用して重複伝送を行う指示を無視するので、ＳＣＧ１のみを使用して伝送を行う。
【０１１５】
このように、ＱｏＳの要求が近いＤＲＢに対して、使用する経路の情報を同時に指示することができるため、現在の重複伝送のためのアクティベーション／ディアクティベーションシグナリングを送信しない場合、単独でワーキングし、シグナリングオーバーヘッドを節約することができる。
【０１１６】
本実施例では、該方法はさらに以下のステップを含んでも良い。
【０１１７】
ステップ７０３：該アクティベーション／ディアクティベーションシグナリングを送信するネットワーク装置又はセル組以外の他のネットワーク装置又はセル組の重複伝送に関する使用状態を取得する。
【０１１８】
本実施例では、該ユーザ装置と、該ネットワーク装置又はセル組及び他のネットワーク装置又はセル組とは、少なくとも２つの接続が設定される。
【０１１９】
例えば、ＭＣＧからユーザ装置に該アクティベーション／ディアクティベーションシグナリングを送信し、該アクティベーション／ディアクティベーションシグナリングを送信する前に、ＭＣＧはＳＣＧ１及びＳＣＧ２から、その各自の重複伝送に関する使用状態、即ち、ＳＣＧ１及びＳＣＧ２がＤＲＢ１〜ＤＲＢ４の重複伝送に用いるかを取得する。
【０１２０】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないため、比較的高い無線リソース利用率を保証することもできる。
【実施例５】
【０１２１】
本発明の実施例はさらに重複伝送の設定及び／又はアクティベーション方法を提供し、該方法は実施例１の中の重複伝送の設定及びアクティベーション方法をさらに説明するものであり、且つネットワーク装置側に応用される。
【０１２２】
図１０は本発明の実施例５の重複伝送の設定及び／又はアクティベーション方法を示す図である。図１０に示すように、該方法は以下のステップを含む。
【０１２３】
ステップ１００１：ユーザ装置に、該ユーザ装置がＣＡ及び／又は少なくとも２つの接続の操作を行うように設定するための第一設定メッセージを送信し；
ステップ１００２：該ユーザ装置に、重複伝送のためのアクティベーション／ディアクティベーションシグナリングを送信し、該アクティベーション／ディアクティベーションシグナリングは、重複伝送と設定される少なくとも１つのＤＲＢの経路における使用状態の指示を含む。
【０１２４】
本実施例では、ステップ１００１は実施例１のステップ２０１と同じであり、ここではその詳しい説明を省略する。
【０１２５】
ステップ１００２では、動的にユーザ装置に該アクティベーション／ディアクティベーションシグナリングを送信することができる。例えば、チャネル品質の変化に基づいて動的に該アクティベーション／ディアクティベーションシグナリングを送信する。
【０１２６】
本実施例では、該アクティベーション／ディアクティベーションシグナリングはＭＡＣ  ＣＥ又はＰＤＣＰの制御ＰＤＵにより送信されても良い。
【０１２７】
本実施例では、該アクティベーション／ディアクティベーションシグナリングはさらに、重複伝送と設定される少なくとも１つのＤＲＢと、経路とのマッピング関係を含んでも良い。
【０１２８】
本実施例では、該使用状態の指示は、重複伝送と設定される少なくとも１つのＤＲＢの少なくとも１つの経路における使用状態を含んでも良い。
【０１２９】
本実施例では、該経路はネットワーク装置、セル組、ＭＡＣ実体、ＲＬＣ実体及び論理チャネルのうちの少なくとも１つを含んでも良く、該使用状態が有効であるときに、該ネットワーク装置又はセル組又はＭＡＣ実体又はＲＬＣ実体又は論理チャネルを使用して重複伝送を行うことを示し、該使用状態が無効であるときに、該ネットワーク装置又はセル組又はＭＡＣ実体又はＲＬＣ実体又は論理チャネルを使用して重複伝送を行わないことを示す。
【０１３０】
本実施例では、該アクティベーション／ディアクティベーションシグナリングは重複伝送と設定されるＤＲＢの数量に対応する複数のビットシーケンスにより構成されても良い。例えば、該アクティベーション／ディアクティベーションシグナリンが４×４ビットにより構成され、トータルで４つに重複伝送と設定されるＤＲＢが配列され、各４ビットシーケンスは１つのＤＲＢの経路における使用状態の指示を表す。
【０１３１】
図１１は本発明の実施例５のアクティベーション／ディアクティベーションシグナリングを示す図である。図１１に示すように、該アクティベーション／ディアクティベーションシグナリングは４×４ビットにより構成され、４つの４ビットのシーケンスは順にＤＲＢ１〜ＤＲＢ４の経路における使用状態の指示を示し、各４ビットのシーケンスはＮ３〜Ｎ０により表され、Ｎｉの中のｉは経路の索引を示し、Ｎｉは該経路の使用状態を表し、各経路の使用状態はその索引の降順又は昇順の方式で配列される。そのうち、１つのＤＲＢについて、Ｎｉが１であるときに、該経路が有効であることを示し、即ち、該ＤＲＢは索引ｉの経路を用いて重複伝送を行い、Ｎｉが０であるときに、該経路が無効であることを示し、即ち、該ＤＲＢは索引ｉの経路を用いて重複伝送を行わない。
【０１３２】
例えば、Ｎ２がＭＣＧの使用状態を示し、Ｎ１がＳＣＧ１の使用状態を示し、Ｎ０がＳＣＧ２の使用状態を示す。該アクティベーション／ディアクティベーションシグナリングが０１００  ０１１１  ０１１１  ０００１であるとする場合、ＤＲＢ１がＭＣＧを使用して重複伝送を行い、ＤＲＢ２がＭＣＧ、ＳＣＧ１、ＳＣＧ２を使用して重複伝送を行い、ＤＲＢ３がＭＣＧ、ＳＣＧ１、ＳＣＧ２を使用して重複伝送を行い、ＤＲＢ４がＳＣＧ２を使用して重複伝送を行うことを示す。
【０１３３】
ＤＲＢ１について、それが１つのセル組ＭＣＧ中で重複伝送を行い、その重複伝送のモードがＣＡモードであり、且つ、ＭＣＧ内のすべてのＲＬＣ実体及び／又は論理チャネルがすべてアクティベーションされることを示すが、重複伝送がディアクティベーションされるときに、即ち、ＭＣＧの使用状態が無効であるときに、ＭＣＧ中のマスターＲＬＣ実体及び／又はマスター論理チャネルのみが保留され、他のＲＬＣ実体及び／又は論理チャネルがすべてディアクティベーションされる。同様に、ＤＲＢ４がＳＣＧ２内においてＣＡのモードで重複伝送を行い、且つ、ＳＣＧ２内のすべてのＲＬＣ実体及び／又は論理チャネルがアクティベーションされるが、重複伝送がディアクティベーションされるときに、即ち、ＳＣＧ２の使用状態が無効であるときに、ＳＣＧ２中のマスターＲＬＣ実体及び／又はマスター論理チャネルのみが保留され、他のＲＬＣ実体及び／又は論理チャネルがすべてディアクティベーションされる。
【０１３４】
このように、各ＤＲＢに対して、使用するｎｏｄｅ／セル組情報を動的に指示することで、動的なチャネル品質の変化に適応することができ、且つシグナリングオーバーヘッドが大きくない。
【０１３５】
本実施例では、該方法はさらに以下のステップを含んでも良い。
【０１３６】
ステップ１００３：該アクティベーション／ディアクティベーションシグナリングを送信するネットワーク装置又はセル組以外の他のネットワーク装置又はセル組の重複伝送に関する使用状態を取得する。
【０１３７】
本実施例では、該ユーザ装置と、該ネットワーク装置及び他のネットワーク装置とは、少なくとも２つの接続が設定される。
【０１３８】
例えば、ＭＣＧからユーザ装置に該アクティベーション／ディアクティベーションシグナリングを送信し、該アクティベーション／ディアクティベーションシグナリングを送信する前に、ＭＣＧはＳＣＧ１及びＳＣＧ２からその各自の重複伝送に関する使用状態、即ち、ＳＣＧ１及びＳＣＧ２がＤＲＢ１〜ＤＲＢ４の重複伝送に使用されるかを取得する。
【０１３９】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ＭＣ又は多経路のＣＡがユーザ装置に設定されるときに、比較的良い品質を有する経路を用いてデータの重複伝送を行うことにより、重複伝送のデータ伝送信頼性に対する利得を保証することができ、また、過多の無線リソースを占用することがないので、比較的高い無線リソース利用率を保証することもできる。
【実施例６】
【０１４０】
本発明の実施例はさらに重複伝送の方法を提供し、該方法はユーザ装置側に応用され、それは実施例１の、ネットワーク装置側に応用される重複伝送の設定及び／又はアクティベーション方法に対応する。
【０１４１】
図１２は本発明の実施例６の重複伝送の方法を示す図である。図１２に示すように、該方法は以下のステップを含む。
【０１４２】
ステップ１２０１：ネットワーク装置から、ユーザ装置がＣＡ及び／又は少なくとも２つの接続の操作を行うように設定するための第一設定メッセージを受信し；
ステップ１２０２：ネットワーク装置から、重複伝送のための第二設定メッセージ、及び／又は、重複伝送のためのアクティベーション／ディアクティベーションシグナリングを受信する。
【０１４３】
このように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないから、比較的高い無線リソース利用率を保証することもできる。
【０１４４】
本実施例では、該第一設定メッセージ、第二設定メッセージ及びアクティベーション／ディアクティベーションシグナリングの内容が実施例１−５における記載と同じであり、ここではその詳しい説明を省略する。
【０１４５】
本実施例では、“ＣＡ”とは、複数のコンポネントがＣＡされることを指し、各キャリア上で１つのサービングセルがＵＥのために設定されることで、より大きい伝送バンド幅を実現する。
【０１４６】
本実施例では、“少なくとも２つの接続”はＭＣ（マルチ接続）とも称され、それはＤＣ（二重接続）及び３つ又は３つ以上の接続を含む。言い換えると、少なくとも２つの接続が設定されているＵＥは、少なくとも２つのネットワーク装置又はセル組に接続され、例えば、３つ又は３つ以上のネットワーク装置又はセル組に接続される。
【０１４７】
本実施例では、“経路”は次の少なくとも１つを含んでも良く、即ち、ネットワーク装置、ノード、セル組、ＭＡＣ実体、及び、これらのネットワーク装置／ノード／セル組／ＭＡＣ実体に属するＲＬＣ実体及び／又は論理チャネルである。
【０１４８】
例えば、ＣＡのモードを採用して重複伝送を行うときに、該経路はＲＬＣ実体及び／又は論理チャネルであっても良く、“少なくとも２つの接続”のモードを用いて重複伝送を行うときに、該経路はネットワーク装置、ノード、セル組及びＭＡＣ実体のうちの少なくとも１つ、及び／又は、これらのネットワーク装置／ノード／セル組／ＭＡＣ実体のＲＬＣ実体及び／又は論理チャネルであっても良い。
【０１４９】
本実施例では、該第二設定メッセージは、ユーザ装置の少なくとも１つのＤＲＢに対して、該ＤＲＢが重複伝送をサポートするかを設定しても良い。
【０１５０】
本実施例では、重複伝送のアクティベーション／ディアクティベーションのための指令は、重複伝送のアクティベーション及び／又はディアクティベーションに対しての指示であっても良い。
【０１５１】
本実施例では、重複伝送のアクティベーションは、ＭＡＣ実体に関する少なくとも１つのＤＲＢが異なる経路（ｌｅｇ）を使用して同じデータを伝送することであり、重複伝送のディアクティベーションは、該ＤＲＢが或る経路を用いてデータを伝送せず、又は、シングル経路を使用してデータを伝送し、又は、異なる経路を使用して異なるデータを伝送し、即ち、スプリット伝送のモードを採用することを表しても良い。
【０１５２】
ステップ１２０２では、重複伝送のための該第二設定メッセージのみを受信しても良く、又は、重複伝送のための該アクティベーション／ディアクティベーションシグナリングのみを受信しても良く、又は、重複伝送のための該第二設定メッセージ及び該アクティベーション／ディアクティベーションシグナリングを受信しても良い。
【０１５３】
本実施例では、該第一設定メッセージ及び該第二設定メッセージは同一のメッセージであっても良い。言い換えると、同一のメッセージ（例えば、ＲＲＣ  ｒｅｃｏｎｆｉｇｕｒａｔｉｏｎメッセージ又はＲＲＣ  ｒｅｓｕｍｅメッセージなど）に該第一設定メッセージ及び該第二設定メッセージにおける情報を含めても良い。例えば、ネットワーク装置がユーザ装置に該第一設定メッセージ及び該第二設定メッセージの中の情報を含む設定メッセージを送信した場合、ステップ１２０１での第一設定メッセージに対しての受信及びステップ１２０２での第二設定メッセージに対しての受信は合併されて行うことができる。
【０１５４】
本実施例では、ユーザ装置に第一設定メッセージを送信するネットワーク装置及び該ユーザ装置に第二設定メッセージ及び／又はアクティベーション／ディアクティベーションシグナリングを送信するネットワーク装置は同一のネットワーク装置であっても良く、異なるネットワーク装置であっても良く、本発明の実施例はこれに限定されない。
【０１５５】
本実施例では、該方法はさらに以下のステップを含んでも良い。
【０１５６】
ステップ１２０３：受信した該第二設定メッセージ及び／又はアクティベーション／ディアクティベーションシグナリングに基づいて、重複伝送の経路及び／又はＤＲＢのアクティベーション状態及び／又は経路の使用状態を確定し；
ステップ１２０４：確定した結果に基づいてデータの重複伝送を実行する。
【０１５７】
本実施例では、ステップ１２０３はユーザ装置のＭＡＣ実体が実行しても良く、ＭＡＣ実体は確定した結果を関連するＤＲＢのＰＤＣＰ実体に転送し、ステップ１２０４では該ＰＤＣＰ実体によりデータの重複伝送を実行する。
【０１５８】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないため、比較的高い無線リソース利用率を保証することもできる。
【実施例７】
【０１５９】
本発明の実施例はさらに重複伝送の方法を提供し、該方法は実施例６における第二設定メッセージの受信をさらに説明するものである。該方法は実施例２に対応し、且つユーザ装置側に応用される。よって、その具体的な実施については実施例２を参照することができ、ここでは重複記載が省略される。
【０１６０】
図１３は本発明の実施例７の重複伝送の方法を示す図である。図１３に示すように、該方法は以下のステップを含む。
【０１６１】
ステップ１３０１：ネットワーク装置から、ユーザ装置がＣＡ及び／又は少なくとも２つの接続の操作を行うように設定するための第一設定メッセージを受信し；
ステップ１３０２：ネットワーク装置から、ＲＲＣシグナリングにより送信される重複伝送のための第二設定メッセージを受信する。
【０１６２】
本実施例では、該ネットワーク装置から受信する第二設定メッセージは以下の少なくとも１つの情報を含み、即ち、少なくとも１つのデータ無線バリア（ＤＲＢ）が重複伝送を行うために使用する経路の情報；少なくとも１つの経路が重複伝送を行うために用いられ得るかの情報；及び、少なくとも１つの経路について、該経路を使用して重複伝送を行うように設定されるＤＲＢの情報である。
【０１６３】
本実施例では、該少なくとも１つのデータ無線バリア（ＤＲＢ）が重複伝送を行うために使用する経路の情報は以下の少なくとも１つを含み、即ち、少なくとも１つのＤＲＢが重複伝送を行うために使用するネットワーク装置標識、セル組標識、ＲＬＣ実体標識及び論理チャネル標識であり；該少なくとも１つの経路が重複伝送を行うために用いられ得るかの情報は、少なくとも１つのネットワーク装置又は少なくとも１つのセル組が重複伝送を行うために用いられ得るかの情報を含み；該少なくとも１つの経路について、該経路を使用して重複伝送を行うように設定されるＤＲＢの情報は、少なくとも１つのネットワーク装置又は少なくとも１つのセル組について、該ネットワーク装置又は該セル組を使用して重複伝送を行うように設定されるＤＲＢの情報、例えば、ＤＲＢの標識又は索引を含む。
【０１６４】
本実施例では、１つのＤＲＢについて、それに対して設定される、重複伝送を行うために使用する少なくとも２つのネットワーク装置標識又は少なくとも２つのセル組標識が同じであるときに、該ＤＲＢがＣＡ（キャリアアグリゲーション）のモードを用いて重複伝送を行うことを示す。
【０１６５】
本実施例では、重複伝送と設定され少なくとも１つのＤＲＢについて、その重複伝送のモードは、ＣＡ（キャリアアグリゲーション）モード又は少なくとも２つのセル組を用いて重複伝送を行うモードと設定される。
【０１６６】
本実施例では、ユーザ装置が該第二設定メッセージを受信した後の具体的な動作については実施例２における図４に対しての説明を参照することができ、ここではその詳しい説明を省略する。
【０１６７】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うによって、重複伝送のデータ伝送信頼性に対する利得を保証することができ、また、過多の無線リソースを占用することがないから、比較的高い無線リソース利用率を保証することもできる。
【実施例８】
【０１６８】
本発明の実施例はさらに重複伝送の方法を提供し、該方法は実施例６におけるアクティベーション／ディアクティベーションシグナリングの受信をさらに説明するものである。該方法は実施例３に対応し、且つユーザ装置側に応用される。よって、その具体的な実施については実施例３を参照することができ、ここでは重複説明を省略する。
【０１６９】
図１４は本発明の実施例８の重複伝送の方法を示す図である。図１４に示すように、該方法は以下のステップを含む。
【０１７０】
ステップ１４０１：ネットワーク装置から、ユーザ装置がＣＡ及び／又は少なくとも２つの接続の操作を行うように設定するための第一設定メッセージを受信し；
ステップ１４０２：少なくとも２つのネットワーク装置からそれぞれ少なくとも１つのＤＲＢの重複伝送のアクティベーション状態の指示を受信する。
【０１７１】
本実施例では、ユーザ装置と、該少なくとも２つのネットワーク装置とは、少なくとも２つの接続が設定される。
【０１７２】
本実施例では、ステップ１４０１は実施例６におけるステップ１２０１と同じであり、ここではその詳しい説明を省略する。
【０１７３】
本実施例では、ステップ１４０１とステップ１４０２との間には、さらに、ネットワーク装置から重複伝送のための設定メッセージを受信するステップが含まれても良く、該設定メッセージは実施例６及び実施例７に記載の第二設定メッセージであっても良く、ここではその詳しい説明を省略する。
【０１７４】
本実施例では、該ユーザ装置の、少なくとも１つのネットワーク装置又は少なくとも１つのセル組に対応する少なくとも１つのＭＡＣ実体は、前記指示に基づいて、該ＭＡＣ実体に関する少なくとも１つのＤＲＢの重複伝送のアクティベーション状態を確定する。
【０１７５】
本実施例では、該方法はさらに以下のステップを含んでも良い。
【０１７６】
ステップ１４０３：ユーザ装置の、少なくとも１つのネットワーク装置又は少なくとも１つのセル組に対応する少なくとも１つのＭＡＣ実体が、該アクティベーション／ディアクティベーションシグナリングにおいて重複伝送がアクティベーションされる少なくとも１つのＤＲＢについて、該ネットワーク装置又は該セル組を使用して該ＤＲＢの重複伝送を行い；及び／又は
ステップ１４０４：ユーザ装置の、１つのネットワーク装置又は１つのセル組に対応する１つのＭＡＣ実体が、該アクティベーション／ディアクティベーションシグナリングにおいて重複伝送がディアクティベーションされる１つのＤＲＢについて、該ネットワーク装置又は該セル組を用いて該ＤＲＢの重複伝送を行わない。
【０１７７】
本実施例では、該ユーザ装置の、少なくとも１つのネットワーク装置又は少なくとも１つのセル組に対応する少なくとも１つのＭＡＣ実体は、該アクティベーション／ディアクティベーションシグナリングにおいて重複伝送がアクティベーションされる少なくとも１つのＤＲＢに対して、該ＤＲＢのために設定される、該ＭＡＣ実体に関連するＲＬＣ実体及び／又は論理チャネルを用いて該ＤＲＢの重複伝送を行い；及び／又は、該ユーザ装置の、１つのネットワーク装置又は１つのセル組に対応する１つのＭＡＣ実体は、該アクティベーション／ディアクティベーションシグナリングにおいて重複伝送がディアクティベーションされる少なくとも１つのＤＲＢに対して、該ＤＲＢのために設定される、該ＭＡＣ実体に関連するＲＬＣ実体及び／又は論理チャネルを使用して該ＤＲＢの重複伝送を行わない。
【０１７８】
本実施例では、ＣＡモードを採用して重複伝送を行うＤＲＢについて、その重複伝送がアクティベーションされるときに、該ＤＲＢのネットワーク装置又はセル組におけるすべての対応するＲＬＣ実体及び／又は論理チャネルは該ＤＲＢの重複伝送に用いられ、その重複伝送がディアクティベーションされるときに、該ＤＲＢのネットワーク装置又はセル組におけるマスターＲＬＣ実体及び／又はマスター論理チャネルは該ＤＲＢの伝送に用いられ、他の対応するＲＬＣ実体及び／又は他の論理チャネルは該ＤＲＢの伝送に使用されない。
【０１７９】
本実施例では、ユーザ装置が該アクティベーション／ディアクティベーションシグナリングを受信した後の具体的な動作は実施例３の中の図６についての説明を参照することができ、ここではその詳しい説明を省略する。
【０１８０】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないため、比較的高い無線リソース利用率を保証することもできる。
【実施例９】
【０１８１】
本発明の実施例はさらに重複伝送の方法を提供し、該方法は実施例６におけるアクティベーション／ディアクティベーションシグナリングの受信をさらに説明するものであり、該方法は実施例４に対応し、且つユーザ装置側に応用される。よって、その具体的な実施については実施例４を参照することができ、ここでは重複記載を省略する。
【０１８２】
図１５は本発明の実施例９の重複伝送の方法を示す図である。図１５に示すように、該方法は以下のステップを含む。
【０１８３】
ステップ１５０１：ネットワーク装置から、ユーザ装置がＣＡ及び／又は少なくとも２つの接続の操作を行うように設定するための第一設定メッセージを受信し；
ステップ１５０２：ネットワーク装置から、重複伝送のための経路の使用状態の指示を受信する。
【０１８４】
本実施例では、ステップ１５０１は実施例６におけるステップ１２０１と同じであり、ここではその詳しい説明を省略する。
【０１８５】
本実施例では、ステップ１５０１とステップ１５０２の間には、さらに、ネットワーク装置から重複伝送のための設定メッセージを受信するステップが含まれても良く、該設定メッセージは実施例６及び実施例７に記載の第二設定メッセージであっても良く、ここではその詳しい説明を省略する。
【０１８６】
本実施例では、該方法はさらに以下のステップを含んでも良い。
【０１８７】
ステップ１５０３：現在にスプリット伝送及び／又は重複伝送と設定されるすべてのＤＲＢについて、すべて、使用状態が有効な経路を用いて重複伝送を行い、使用状態が無効な経路を用いて重複伝送を行わない。
【０１８８】
本実施例では、該方法はさらに以下のステップを含んでも良い。
【０１８９】
ステップ１５０４：１つのＤＲＢについて、該ＤＲＢのスプリット伝送が設定されない経路について、該経路を使用して重複伝送を行う指示を無視する。
【０１９０】
本実施例では、ＣＡモードを採用して重複伝送を行うＤＲＢについて、その重複伝送がアクティベーションされるときに、該ＤＲＢのネットワーク装置又はセル組におけるすべての対応するＲＬＣ実体及び／又は論理チャネルは該ＤＲＢの重複伝送に用いられ、その重複伝送がディアクティベーションされるときに、該ＤＲＢのネットワーク装置又はセル組におけるマスターＲＬＣ実体及び／又はマスター論理チャネルは該ＤＲＢの重複伝送に用いられ、他の対応するＲＬＣ実体及び／又は他の論理チャネルは該ＤＲＢの重複伝送に用いられない。
【０１９１】
本実施例では、ユーザ装置が該アクティベーション／ディアクティベーションシグナリングを受信した後の具体的な動作については実施例４の中の図８及び図９に対しての説明を参照することができ、ここではその詳しい説明を省略する。
【０１９２】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないから、比較的高い無線リソース利用率を保証することもできる。
【実施例１０】
【０１９３】
本発明の実施例はさらに重複伝送の方法を提供し、該方法は実施例６の中の第二設定情報及びアクティベーション／ディアクティベーションシグナリングの受信をさらに説明するものであり、該方法は実施例５に対応し、且つユーザ装置側に応用される。よって、その具体的な実施については実施例５を参照することができ、ここではその詳しい説明を省略する。
【０１９４】
図１６は本発明の実施例１０の重複伝送の方法を示す図である。図１６に示すように、該方法は以下のステップを含む。
【０１９５】
ステップ１６０１：ネットワーク装置から、ユーザ装置がＣＡ及び／又は少なくとも２つの接続の操作を行うように設定するための第一設定メッセージを受信し；
ステップ１６０２：ネットワーク装置から、重複伝送のためのアクティベーション／ディアクティベーションシグナリングを受信し、該アクティベーション／ディアクティベーションシグナリングは、重複伝送と設定される１つのＤＲＢの経路における使用状態の指示を含む。
【０１９６】
本実施例では、該方法はさらに以下のステップを含んでも良い。
【０１９７】
ステップ１６０３：重複伝送と設定される少なくとも１つのＤＲＢの経路における使用状態の指示に基づいて、該ＤＲＢが重複伝送を行うために使用する経路を確定する。
【０１９８】
本実施例では、ＣＡモードを採用して重複伝送を行うＤＲＢについて、その重複伝送がアクティベーションされるときに、該ＤＲＢのネットワーク装置又はセル組におけるすべての対応するＲＬＣ実体及び／又は論理チャネルは該ＤＲＢの伝送に用いられ、その重複伝送がディアクティベーションされるときに、該ＤＲＢのネットワーク装置又はセル組におけるマスターＲＬＣ実体及び／又はマスター論理チャネルは該ＤＲＢの伝送に用いられ、他の対応するＲＬＣ実体及び／又は他の論理チャネルは該ＤＲＢの伝送に使用されない。
【０１９９】
本実施例では、ユーザ装置が該アクティベーション／ディアクティベーションシグナリングを受信した後の具体的な動作については実施例５における図１０に対しての説明を参照することができ、ここではその詳しい説明を省略する。
【０２００】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないので、比較的高い無線リソース利用率を保証することもできる。
【実施例１１】
【０２０１】
本発明の実施例はさらに重複伝送の方法を提供し、該方法は実施例１−１０に対応し、且つネットワーク装置側及びユーザ装置側に適用される。よって、その具体的な実施については実施例１−１０を参照することができ、ここではその詳しい説明を省略す。
【０２０２】
図１７は本発明の実施例１１の重複伝送の方法を示す図である。図１７に示すように、該方法は以下のステップを含む。
【０２０３】
ステップ１７０１：ネットワーク装置がユーザ装置に、該ユーザ装置がＣＡ及び／又は少なくとも２つの接続の操作を行うように設定するための第一設定メッセージを送信し；
ステップ１７０２：ネットワーク装置が該ユーザ装置に、重複伝送のための第二設定メッセージ、及び／又は、重複伝送のためのアクティベーション／ディアクティベーションシグナリングを送信し；
ステップ１７０３：ユーザ装置がその受信した該第二設定メッセージ及び／又はアクティベーション／ディアクティベーションシグナリングに基づいて、重複伝送の経路及び／又はＤＲＢのアクティベーション状態及び／又は経路の使用状態を確定し；
ステップ１７０４：ユーザ装置がその確定した結果に基づいてデータの重複伝送を実行する。
【０２０４】
本実施例では、ステップ１７０１及びステップ１７０２の具体的な実施については実施例１−５の中の記載を参照することができ、ステップ１７０３及びステップ１７０４の具体的な実施については実施例６の中の記載を参照することができ、ここではその詳しい説明を省略する。
【０２０５】
図１８は本発明の実施例１１の重複伝送の方法を示す他の図である。図１８に示すように、ユーザ装置と、第一ネットワーク装置、第二ネットワーク装置、第三ネットワーク装置とはＭＣが構成され、該方法は以下のステップを含む。
【０２０６】
ステップ１８０１：第一ネットワーク装置がユーザ装置に重複伝送のための第二設定メッセージを送信し；
ステップ１８０２：第二ネットワーク装置及び第三ネットワーク装置がそれぞれ第一ネットワーク装置に重複伝送に関する使用状態を送信し；
ステップ１８０３：第一ネットワーク装置がユーザ装置に重複伝送のためのアクティベーション／ディアクティベーションシグナリングを送信し；
ステップ１８０４：ユーザ装置がその受信した該第二設定メッセージ及びアクティベーション／ディアクティベーションシグナリングに基づいて、重複伝送の経路及び／又はＤＲＢのアクティベーション状態及び／又は経路の使用状態を確定し；
ステップ１８０５：ユーザ装置がその確定した結果に基づいてデータの重複伝送を実行する。
【０２０７】
ステップ１８０２では、第一ネットワーク装置は他のセル組の重複伝送に関する使用状態を事前収集することで、その自身の重複伝送に関する使用状態を一緒にユーザ装置に送信する。
【０２０８】
本実施例では、該第一ネットワーク装置は例えば主ネットワーク装置又は主セル組である。
【０２０９】
本実施例では、ステップ１８０１及びステップ１８０３の具体的な実施については実施例１−５の中の記載を参照することができ、ステップ１８０４及びステップ１８０５の具体的な実施については実施例６の中の記載を参照することができ、ここではその詳しい説明を省略する。
【０２１０】
図１９は本発明の実施例１１の重複伝送の方法を示す他の図である。図１９に示すように、ユーザ装置と、第一ネットワーク装置、第二ネットワーク装置、第三ネットワーク装置とはＭＣが構成され、該方法は以下のステップを含む。
【０２１１】
ステップ１９０１：第一ネットワーク装置がユーザ装置に重複伝送のための第二設定メッセージを送信し；
ステップ１９０２：第一ネットワーク装置、第二ネットワーク装置及び第三ネットワーク装置がそれぞれユーザ装置にその各自の重複伝送のためのアクティベーション／ディアクティベーションシグナリングを送信し；
ステップ１９０３：ユーザ装置がその受信した該第二設定メッセージ及びアクティベーション／ディアクティベーションシグナリングに基づいて、重複伝送の経路及び／又はＤＲＢのアクティベーション状態及び／又は経路の使用状態を確定し；
ステップ１９０４：ユーザ装置がその確定した結果に基づいてデータの重複伝送を実行する。
【０２１２】
本実施例では、該第一ネットワーク装置は例えば主ネットワーク装置又は主セル組である。
【０２１３】
本実施例では、ステップ１９０１の具体的な実施については実施例１及び２の中の記載を参照することができ、ステップ１９０２の具体的な実施は実施例３の中の記載を参照することができ、ステップ１９０３及びステップ１９０４の具体的な実施については実施例６の中の記載を参照することができ、ここではその詳しい説明を省略する。
【０２１４】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないから、比較的高い無線リソース利用率を保証することもできる。
【実施例１２】
【０２１５】
本発明の実施例はさらに重複伝送の方法を提供し、該方法はユーザ装置側に応用される。
【０２１６】
図２０は本発明の実施例１２の重複伝送の方法を示す図である。図２０に示すように、該方法は以下のステップを含む。
【０２１７】
ステップ２００１：ユーザ装置がＣＡ及び／又は少なくとも２つの接続の操作を行うための第一設定メッセージを受信し；
ステップ２００２：該ユーザ装置が重複伝送を行うための経路を確定する。
【０２１８】
本実施例では、ステップ２００１は実施例６における記載と同じであり、ここではその詳しい説明を省略する。
【０２１９】
ステップ２００２では、ユーザ装置が送信成功パワー、下りリンク測定結果及び上りリンク測定結果のうちの少なくとも１つに基づいて、重複伝送を行うための経路を確定することができる。
【０２２０】
例えば、送信成功パワーに基づいて重複伝送のための経路を確定するときに、混合自動再伝送要求（Ｈｙｂｒｉｄ  Ａｕｔｏｍａｔｉｃ  Ｒｅｐｅａｔ  ｒｅＱｕｅｓｔ、ＨＡＲＱ）のフィードバック（ｆｅｅｄｂａｃｋ）又は自動再伝送要求（Ａｕｔｏｍａｔｉｃ  Ｒｅｐｅａｔ−ｒｅＱｕｅｓｔ、ＡＲＱ）のフィードバックに基づいて確定することができる。
【０２２１】
例えば、下りリンク測定結果に基づいて重複伝送のための経路を確定するときに、下りリンク無線リソース管理（Ｒａｄｉｏ  Ｒｅｓｏｕｒｃｅ  Ｍａｎａｇｅｍｅｎｔ、ＲＲＭ）の測定結果に基づいて確定を行うことができる。
【０２２２】
本実施例では、ユーザ装置は、重複伝送と設定される少なくとも１つのＤＲＢについて、該ＤＲＢが重複伝送を行うための経路を確定し、言い換えると、ＤＲＢが複数あるときに、各ＤＲＢについてそれぞれ該ＤＲＢが重複伝送を行う経路を確認する。即ち、該ユーザ装置は、重複伝送と設定されるすべてのＤＲＢについて、重複伝送を行う経路を確定する。
【０２２３】
本実施例では、例えば、ユーザ装置のＰＤＣＰ実体により該経路を確定する。
【０２２４】
本実施例では、該方法はさらに以下のステップを含んでも良い。
【０２２５】
ステップ２００３：確定した経路を用いて重複伝送を行う。
【０２２６】
本実施例では、ステップ２００３で重複伝送を行う方法については実施例６の中の記載を参照することができ、ここではその詳しい説明を省略する。
【０２２７】
上述の実施例から分かるように、ＣＡ及び／又は少なくとも２つの接続の操作が設定されているユーザ装置が自ら重複伝送を行うための経路を確定することで、同様に、３つ又は３つ以上の伝送経路を有する重複伝送をサポートし、重複伝送のデータ伝送信頼性に対する利得、及び比較的高い無線リソース利用率を保証することができる。また、ネットワーク装置側からの重複伝送のための設定及び／又はアクティベーション／ディアクティベーションシグナリングを受信する必要がないから、ネットワークのシグナリングオーバーヘッドを節約し、無線リソースの占用を減少させ、ネットワーク実現用のアルゴリズムを簡略化することができる。
【実施例１３】
【０２２８】
本発明の実施例はさらに重複伝送の方法を提供し、該方法は実施例１２に対応し、且つネットワーク装置側及びユーザ装置側に応用される。
【０２２９】
図２１は本発明の実施例１３の重複伝送の方法を示す図である。図２１に示すように、該方法は以下のステップを含む。
【０２３０】
ステップ２１０１：ネットワーク装置がユーザ装置に、ＣＡ及び／又は少なくとも２つの接続の操作を行うための第一設定メッセージを送信し；
ステップ２１０２：該ユーザ装置が重複伝送を行うための経路を確定し；
ステップ２１０３：該ユーザ装置がその確定した経路を用いてデータの重複伝送を行う。
【０２３１】
本実施例では、ステップ２１０１の具体的な実施については実施例１における記載を参照することができ、ステップ２１０２の具体的な実施については実施例１２における記載を参照することができ、ステップ２１０３の具体的な実施については実施例６の中の記載を参照することができ、ここではその詳しい説明を省略する。
【０２３２】
上述の実施例から分かるように、由ＣＡ及び／又は少なくとも２つの接続の操作が設定されているユーザ装置が自ら重複伝送を行うための経路を確定することで、同様に、３つ又は３つ以上の伝送経路を有する重複伝送をサポートし、重複伝送のデータ伝送信頼性に対する利得、及び比較的高い無線リソース利用率を保証することができる。また、ネットワーク装置側からの重複伝送のための設定及び／又はアクティベーション／ディアクティベーションシグナリングを受信する必要がないので、ネットワークのシグナリングオーバーヘッドを節約し、無線リソースの占用を減少させ、ネットワーク実現用のアルゴリズムを簡略化することができる。
【実施例１４】
【０２３３】
本発明の実施例はさらに重複伝送の設定及び／又はアクティベーション装置を提供し、それはネットワーク装置側に応用される。該装置が実施例１−５に記載の重複伝送の設定及び／又はアクティベーション方法に対応するから、その具体的な実施については実施例１−５を参照することができ、ここでは重複説明を省略する。
【０２３４】
図２２は本発明の実施例１４の重複伝送の設定及び／又はアクティベーション装置を示す図である。図２２に示すように、装置２２００は以下のものを含む。
【０２３５】
第一送信ユニット２２０１：ユーザ装置に、該ユーザ装置がＣＡ及び／又は少なくとも２つの接続の操作を行うように設定するための第一設定メッセージを送信し；
第二送信ユニット２２０２：該ユーザ装置に重複伝送のための第二設定メッセージ、及び／又は、重複伝送のためのアクティベーション／ディアクティベーションシグナリングを送信する。
【０２３６】
本実施例では、実施例２に対応して、該第二設定メッセージは次の少なくとも１つの情報を含んでも良く、則ち、少なくとも１つのデータ無線バリア（ＤＲＢ）が重複伝送されるために使用する経路の情報；少なくとも１つの経路が重複伝送を行うために用いられ得るかの情報；及び、少なくとも１つの経路について、該経路を使用して重複伝送を行うように設定されるＤＲＢの情報である。
【０２３７】
本実施例では、該少なくとも１つのデータ無線バリア（ＤＲＢ）が重複伝送を行うために使用する経路の情報は以下の少なくとも１つを含み、即ち、少なくとも１つのＤＲＢが重複伝送を行うために使用するネットワーク装置標識、セル組標識、無線リンク制御（ＲＬＣ）実体標識及び論理チャネル標識；該少なくとも１つの経路が重複伝送を行うために用いられ得るかの情報は、少なくとも１つのネットワーク装置又は少なくとも１つのセル組が重複伝送を行うために用いられ得るかの情報を含み；該少なくとも１つの経路について、該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報、例えば、ＤＲＢの標識又は索引である。
【０２３８】
本実施例では、該第二設定メッセージは無線リソース制御（ＲＲＣ）シグナリングであっても良い。
【０２３９】
例えば、該第二設定メッセージはＲＲＣｒｅｃｏｎｆｉｇｕｒａｔｉｏｎメッセージ又はＲＲＣｒｅｓｕｍｅメッセージ又はＲＲＣＳｅｔｕｐメッセージ又はＲＲＣＲｅｅｓｔａｂｌｉｓｈｍｅｎｔメッセージである。
【０２４０】
本実施例では、１つのＤＲＢについて、それに対して設定される、重複伝送を行うために使用する少なくとも２つのネットワーク装置標識又は少なくとも２つのセル組標識が同じであるときに、該ＤＲＢがＣＡ（キャリアアグリゲーション）のモードを使用して重複伝送を行うことを示す。
【０２４１】
本実施例では、第二送信ユニット２２０２は、重複伝送と設定される少なくとも１つのＤＲＢについて、その重複伝送のモードがＣＡ（キャリアアグリゲーション）モードであり、又は、少なくとも２つのネットワーク装置又は少なくとも２つのセル組を用いて重複伝送を行うモードであることを設定することができる。
【０２４２】
本実施例では、該第二設定情報及び第一設定メッセージは同一のメッセージであっても良い。言い換えると、同一のメッセージ（例えば、ＲＲＣ  ｒｅｃｏｎｆｉｇｕｒａｔｉｏｎメッセージ又はＲＲＣ  ｒｅｓｕｍｅメッセージなど）に該第一設定メッセージ及び該第二設定メッセージにおける情報を含めても良い。例えば、ネットワーク装置がユーザ装置に該第一設定メッセージ及び該第二設定メッセージにおける情報を含む設定メッセージを送信した場合、第一送信ユニット２２０１の第一設定メッセージに対する送信及び第二送信ユニット２２０２の第二設定メッセージに対する送信を合併して行うことができ、例えば、第一送信ユニット２２０１及び第二送信ユニット２２０２は同一の送信ユニットとして合併することができる。
【０２４３】
本実施例では、実施例３に対応して、１つのネットワーク装置の第二送信ユニット２２０２は該ユーザ装置に重複伝送のためのアクティベーション／ディアクティベーションシグナリングを送信し、及び／又は、他のネットワーク装置の第二送信ユニット２２０２は該ユーザ装置に重複伝送のための該アクティベーション／ディアクティベーションシグナリングを送信する。そのうち、ネットワーク装置が該ユーザ装置に重複伝送のためのアクティベーション／ディアクティベーションシグナリングを送信することについて、該アクティベーション／ディアクティベーションシグナリングはＤＲＢの該ネットワーク装置における重複伝送のアクティベーション状態の指示を含み、他のネットワーク装置が該ユーザ装置に重複伝送のための該アクティベーション／ディアクティベーションシグナリングを送信することについて、重複伝送のための該アクティベーション／ディアクティベーションシグナリングはＤＲＢの該他のネットワーク装置における重複伝送のアクティベーション状態の指示を含む。そのうち、該ユーザ装置と、該ネットワーク装置及び該他のネットワーク装置とは少なくとも２つの接続が設定される。言い換えると、ＭＣを構成する少なくとも２つのネットワーク装置はそれぞれ該ユーザ装置に各自の重複伝送のためのアクティベーション／ディアクティベーションシグナリングを送信する。なお、該アクティベーション／ディアクティベーションシグナリングの他の内容については、実施例３における記載を参照することができ、ここではその詳しい説明を省略する。
【０２４４】
本実施例では、実施例４に対応して、重複伝送のための該アクティベーション／ディアクティベーションシグナリングは重複伝送のための経路の使用状態の指示を含んでも良い。そのうち、第二送信ユニット２２０２はＭＡＣ  ＣＥ又はＰＤＣＰの制御ＰＤＵにより重複伝送のための該アクティベーション／ディアクティベーションシグナリングを送信することができる。該経路はネットワーク装置、セル組、媒体アクセス制御（ＭＡＣ）実体、無線リンク制御（ＲＬＣ）実体及び論理チャネルのうちの少なくとも１つを含んでも良く、該重複伝送のための経路の使用状態の指示は、前記ネットワーク装置又はセル組又はＭＡＣ実体又はＲＬＣ実体又は論理チャネルの索引又は標識に対応するネットワーク装置又はセル組又はＭＡＣ実体又はＲＬＣ実体又は論理チャネルの使用状態を含んでも良い。なお、該アクティベーション／ディアクティベーションシグナリングの他の内容については、実施例４の中の記載を参照することができ、ここではその詳しい説明を省略する。
【０２４５】
本実施例では、実施例５に対応して、該アクティベーション／ディアクティベーションシグナリングは、重複伝送と設定される少なくとも１つのＤＲＢの経路における使用状態の指示を含んでも良い。そのうち、第二送信ユニット２２０２は、ＭＡＣ  ＣＥ又はＰＤＣＰの制御ＰＤＵにより、重複伝送のための該アクティベーション／ディアクティベーションシグナリングを送信することができる。該使用状態の指示は、重複伝送と設定される少なくとも１つのＤＲＢについての少なくとも１つの経路の使用状態を含んでも良い。なお、該アクティベーション／ディアクティベーションシグナリングの他の内容については、実施例５における記載を参照することができ、ここではその詳しい説明を省略する。
【０２４６】
また、実施例４及び実施例５に対応して、該装置はさらに以下のものを含んでも良い。
【０２４７】
取得ユニット２２０３：該アクティベーション／ディアクティベーションシグナリングを送信するネットワーク装置以外の他のネットワーク装置の重複伝送に関する使用状態を得る。該ユーザ装置は、該ネットワーク装置及び該他のネットワーク装置と少なくとも２つの接続が設定される。なお、その具体的な実施については実施例４及び実施例５における記載を参照することができ、ここではその詳しい説明を省略する。
【０２４８】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないため、比較的高い無線リソース利用率を保証することもできる。
【実施例１５】
【０２４９】
本発明の実施例はさらに重複伝送の装置を提供し、それはユーザ装置側に応用される。該装置が実施例６−１０に記載の重複伝送の方法に対応するので、その具体的な実施については実施例６−１０を参照することができ、ここでは重複説明を省略する。
【０２５０】
図２３は本発明の実施例１５の重複伝送の装置を示す図である。図２３に示すように、装置２３００は以下のものを含む。
【０２５１】
第一受信ユニット２３０１：ネットワーク装置から、ユーザ装置がＣＡ及び／又は少なくとも２つの接続の操作を行うように設定するための第一設定メッセージを受信し；
第二受信ユニット２３０２：ネットワーク装置から、重複伝送のための第二設定メッセージ、及び／又は、重複伝送のためのアクティベーション／ディアクティベーションシグナリングを受信する。
【０２５２】
本実施例では、実施例６に対応して、該第二設定メッセージは次の少なくとも１つの情報を含んでも良く、即ち、少なくとも１つのデータ無線バリア（ＤＲＢ）が重複伝送を行うために使用する経路の情報；少なくとも１つの経路が重複伝送を行うために用いられ得るかの情報；及び、少なくとも１つの経路について、該経路を使用して重複伝送を行うように設定されるＤＲＢの情報である。
【０２５３】
本実施例では、該少なくとも１つのデータ無線バリア（ＤＲＢ）が重複伝送を行うために使用する経路の情報は以下の少なくとも１つを含んでも良く、即ち、少なくとも１つのＤＲＢが重複伝送を行うために使用するネットワーク装置標識、セル組標識、無線リンク制御（ＲＬＣ）実体標識及び論理チャネル標識であり；該少なくとも１つの経路が重複伝送を行うために用いられ得るかの情報は、少なくとも１つのネットワーク装置又は少なくとも１つのセル組が重複伝送を行うために用いられ得るかの情報を含み；該少なくとも１つの経路について、該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報、例えば、ＤＲＢの標識又は索引である。
【０２５４】
本実施例では、該第二設定メッセージは無線リソース制御（ＲＲＣ）シグナリングであっても良い。
【０２５５】
例えば、該第二設定メッセージはＲＲＣｒｅｃｏｎｆｉｇｕｒａｔｉｏｎメッセージ又はＲＲＣｒｅｓｕｍｅメッセージ又はＲＲＣＳｅｔｕｐメッセージ又はＲＲＣＲｅｅｓｔａｂｌｉｓｈｍｅｎｔメッセージである。
【０２５６】
本実施例では、１つのＤＲＢについて、それに対して設定される、重複伝送を行うために使用する少なくとも２つのネットワーク装置標識又は少なくとも２つのセル組標識が同じであるときに、該ＤＲＢがＣＡ（キャリアアグリゲーション）のモードを用いて重複伝送を行うことを表す。
【０２５７】
本実施例では、該第二設定情報及び第一設定メッセージは同一のメッセージであっても良い。言い換えると、同一のメッセージ（例えば、ＲＲＣ  ｒｅｃｏｎｆｉｇｕｒａｔｉｏｎメッセージ又はＲＲＣ  ｒｅｓｕｍｅメッセージなど）に該第一設定メッセージ及び該第二設定メッセージの中の情報を含めても良い。例えば、ネットワーク装置がユーザ装置に該第一設定メッセージ及び該第二設定メッセージにおける情報を含む設定メッセージを送信した場合、第一受信ユニット２３０１の第一設定メッセージに対しての受信及び第二受信ユニット２３０２の第二設定メッセージに対しての受信を合併して行っても良く、例えば、第一受信ユニット２３０１及び第二受信ユニット２３０２は同一の受信ユニットとして合併することができる。
【０２５８】
図２４は本発明の実施例１５の重複伝送の装置を示す他の図であり、それは実施例８に対応し、その具体的な内容は実施例８の中の記載を参照することができる。図２４に示すように、装置２４００は以下のものを含む。
【０２５９】
第一受信ユニット２４０１：ネットワーク装置から、ユーザ装置がＣＡ及び／又は少なくとも２つの接続の操作を行うように設定するための第一設定メッセージを受信し；
第二受信ユニット２４０２：ネットワーク装置から、重複伝送のための第二設定メッセージを受信し、及び／又は、少なくとも２つのネットワーク装置からそれぞれ少なくとも１つのＤＲＢの重複伝送のアクティベーション状態の指示を受信する。
【０２６０】
本実施例では、該ユーザ装置と、該少なくとも２つのネットワーク装置とは少なくとも２つの接続が設定される。
【０２６１】
本実施例では、該装置２４００は以下のものを含んでも良い。
【０２６２】
第一確定ユニット２４０３：該ユーザ装置の、少なくとも１つのネットワーク装置又は少なくとも１つのセル組に対応する少なくとも１つのＭＡＣ実体が、該指示に基づいて、該ＭＡＣ実体に関する少なくとも１つのＤＲＢの重複伝送のアクティベーション状態を確定するようにさせ；
第一伝送ユニット２４０４：該ユーザ装置の、少なくとも１つのネットワーク装置又は少なくとも１つのセル組に対応する少なくとも１つのＭＡＣ実体が、該アクティベーション／ディアクティベーションシグナリングにおいて重複伝送がアクティベーションされる少なくとも１つのＤＲＢに対して、該ネットワーク装置又は該セル組を用いて該ＤＲＢの重複伝送を行うようにさせ、及び／又は、該ユーザ装置の、１つのネットワーク装置又は１つのセル組に対応する１つのＭＡＣ実体が、該アクティベーション／ディアクティベーションシグナリングにおいて重複伝送がディアクティベーションされる１つのＤＲＢに対して、該ネットワーク装置又は該セル組を用いて該ＤＲＢの重複伝送を行わないようにさせ；及び
第二伝送ユニット２４０５：該ユーザ装置の、少なくとも１つのネットワーク装置又は少なくとも１つのセル組に対応する少なくとも１つのＭＡＣ実体が、該アクティベーション／ディアクティベーションシグナリングにおいて重複伝送がアクティベーションされる少なくとも１つのＤＲＢに対して、該ＤＲＢのために設定される、該ＭＡＣ実体に関連するＲＬＣ実体及び／又は論理チャネルを用いて該ＤＲＢの重複伝送を行うようにさせ、及び／又は、該ユーザ装置の、１つのネットワーク装置又は１つのセル組に対応する１つのＭＡＣ実体が、該アクティベーション／ディアクティベーションシグナリングにおいて重複伝送がディアクティベーションされる少なくとも１つのＤＲＢに対して、該ＤＲＢのために設定される、該ＭＡＣ実体に関連するＲＬＣ実体及び／又は論理チャネルを用いて該ＤＲＢの重複伝送を行わないようにさせる。
【０２６３】
本実施例では、ＣＡモードを採用して重複伝送を行うＤＲＢについて、その重複伝送がアクティベーションされるときに、該ＤＲＢのネットワーク装置又はセル組におけるすべての対応するＲＬＣ実体及び／又は論理チャネルは該ＤＲＢの重複伝送のために用いられ、その重複伝送がディアクティベーションされるときに、該ＤＲＢのネットワーク装置又はセル組におけるマスターＲＬＣ実体及び／又はマスター論理チャネルは前記ＤＲＢの伝送のために用いられ、他の対応するＲＬＣ実体及び／又は他の論理チャネルは該ＤＲＢの伝送のために用いられない。
【０２６４】
図２５は本発明の実施例１５の重複伝送の装置を示す他の図であり、それは実施例９に対応し、その具体的な内容については実施例９の中の記載を参照することができる。図２５に示すように、装置２５００は以下のものを含む。
【０２６５】
第一受信ユニット２５０１：ネットワーク装置から、ユーザ装置がＣＡ及び／又は少なくとも２つの接続の操作を行うように設定するための第一設定メッセージを受信し；
第二受信ユニット２５０２：ネットワーク装置から、重複伝送のための第二設定メッセージ、及び／又は、重複伝送のための経路の使用状態の指示を受信し；
第三伝送ユニット２５０３：現在にスプリット伝送及び／又は重複伝送と設定されるすべてのＤＲＢについて、すべて、使用状態が有効である経路を用いて重複伝送を行い、使用状態が無効である経路を用いて重複伝送を行わず；及び
無視ユニット２５０４：１つのＤＲＢについて、該ＤＲＢスのプリット伝送が設定されない経路について、該経路を用いて重複伝送を行う指示を無視する。
【０２６６】
本実施例では、ＣＡモードを採用して重複伝送を行うＤＲＢについて、その重複伝送がアクティベーションされるときに、該ＤＲＢのネットワーク装置又はセル組におけるすべての対応するＲＬＣ実体及び／又は論理チャネルは該ＤＲＢの重複伝送のために用いられ、その重複伝送がディアクティベーションされるときに、該ＤＲＢのネットワーク装置又はセル組におけるマスターＲＬＣ実体及び／又はマスター論理チャネルは前記ＤＲＢの伝送のために用いられ、他の対応するＲＬＣ実体及び／又は他の論理チャネルは該ＤＲＢの伝送のために用いられない。
【０２６７】
図２６は本発明の実施例１５の重複伝送の装置を示す他の図であり、それは実施例１０に対応し、その具体的な内容については実施例１０における記載を参照することができる。図２６に示すように、装置２６００は以下のものを含む。
【０２６８】
第一受信ユニット２６０１：ネットワーク装置から、ユーザ装置がＣＡ及び／又は少なくとも２つの接続の操作を行うように設定するための第一設定メッセージを受信し；
第二受信ユニット２６０２：ネットワーク装置から、重複伝送と設定される１つのＤＲＢの経路における使用状態の指示を受信し；及び
第二確定ユニット２６０３：該重複伝送と設定される少なくとも１つのＤＲＢの経路における使用状態の指示に基づいて、該ＤＲＢの重複伝送を行うために使用する経路を確定する。
【０２６９】
本実施例では、ＣＡモードを採用して重複伝送を行うＤＲＢについて、その重複伝送がアクティベーションされるときに、該ＤＲＢのネットワーク装置又はセル組におけるすべての対応するＲＬＣ実体及び／又は論理チャネルは該ＤＲＢの重複伝送のために用いられ、その重複伝送がディアクティベーションされるときに、該ＤＲＢのネットワーク装置又はセル組におけるマスターＲＬＣ実体及び／又はマスター論理チャネルは前記ＤＲＢの伝送のために用いられ、他の対応するＲＬＣ実体及び／又は他の論理チャネルは該ＤＲＢの伝送のために用いられない。
【０２７０】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないので、比較的高い無線リソース利用率を保証することもできる。
【実施例１６】
【０２７１】
本発明の実施例はさらに重複伝送の装置を提供し、それはユーザ装置側に応用される。該装置が実施例１２に記載の重複伝送の方法に対応するので、その具体的な実施については実施例１２を参照することができ、ここでは重複説明を省略する。
【０２７２】
図２７は本発明の実施例１６の重複伝送の装置を示す図である。図２７に示すように、装置２７００は以下のものを含む。
【０２７３】
第三受信ユニット２７０１：ＣＡ及び／又は少なくとも２つの接続の操作を行うための第一設定メッセージを受信し；
第三確定ユニット２７０２：重複伝送を行うための経路を確定する。
【０２７４】
本実施例では、該第三確定ユニット２７０２は送信成功パワー、下りリンク測定結果及び上りリンク測定結果のうちの少なくとも１つに基づいて、重複伝送を行うための経路を確定することができる。
【０２７５】
本実施例では、該第三確定ユニット２７０２は、重複伝送と設定される少なくとも１つのＤＲＢについて、該ＤＲＢが重複伝送を行う経路を確定し、又は、該第三確定ユニット２７０２は、重複伝送と設定されすべてのＤＲＢについて、重複伝送を行う経路を確定する。
【０２７６】
本実施例では、該第三確定ユニット２７０２はＰＤＣＰ実体により該経路を確定することができる。
【０２７７】
上述の実施例から分かるように、ＣＡ及び／又は少なくとも２つの接続の操作が設定されているユーザ装置が自ら重複伝送を行うための経路を確定することで、同様に、３つ又は３つ以上の伝送経路を有する重複伝送をサポートし、重複伝送のデータ伝送信頼性に対する利得、及び比較的高い無線リソース利用率を保証することができる。また、ネットワーク装置側からの重複伝送のための設定及び／又はアクティベーション／ディアクティベーションシグナリングを受信する必要がないので、ネットワークのシグナリングオーバーヘッドを節約し、無線リソースの占用を減少させ、ネットワーク実現用のアルゴリズムを簡略化することができる。
【実施例１７】
【０２７８】
本発明の実施例はさらにネットワーク装置を提供し、該ネットワーク装置は実施例１４に記載の重複伝送の設定及び／又はアクティベーション装置を含む。
【０２７９】
図２８は本発明の実施例１７のネットワーク装置の構成図である。図２８に示すように、ネットワーク装置２８００は処理器（ｐｒｏｃｅｓｓｏｒ）２８１０及び記憶器２８２０を含んでも良く、記憶器２８２０は処理器２８１０に接続される。そのうち、該記憶器２８２０は各種のデータを記憶することができ、また、情報処理用のプログラム２８３０を記憶し、且つ処理器２８１０の制御下で該プログラム２８３０を実行することで、ユーザ装置送信の各種情報を受信し、また、ユーザ装置に各種の情報を送信することができる。
【０２８０】
１つの実施方式において、重複伝送の設定及び／又はアクティベーション装置の機能が処理器２８１０に統合されても良い。そのうち、処理器２８１０は次のように構成されても良く、即ち、ユーザ装置に、該ユーザ装置がＣＡ及び／又は少なくとも２つの接続の操作を行うように設定するための第一設定メッセージを送信し；及び、前記ユーザ装置に、重複伝送のための第二設定メッセージ、及び／又は、重複伝送のためのアクティベーション／ディアクティベーションシグナリングを送信する。
【０２８１】
もう１つの実施方式において、重複伝送の設定及び／又はアクティベーション装置が処理器２８１０と別々で構成されても良く、例えば、重複伝送の設定及び／又はアクティベーション装置を、処理器２８１０に接続されるチップとして構成し、処理器２８１０の制御により、重複伝送の設定及び／又はアクティベーション装置の機能を実現しても良い。
【０２８２】
また、図２８に示すように、ネットワーク装置２８００はさらに送受信機２８４０、アンテナ２８５０などを含んでも良く、そのうち、これらの部品の機能が従来技術と類似しているため、ここではその詳しい説明を省略する。なお、ネットワーク装置２８００は図２８に示すすべての部品を含む必要がない。また、ネットワーク装置２８００はさらに図２８に示されない部品を含んでも良いが、これについては従来技術を参照することができる。
【０２８３】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないから、比較的高い無線リソース利用率を保証することもできる。
【実施例１８】
【０２８４】
本発明の実施例はさらにユーザ装置を提供し、該ユーザ装置は実施例１５に記載の重複伝送の装置を含む。
【０２８５】
図２９は本発明の実施例１８のユーザ装置のシステム構成を示すブロック図である。図２９に示すように、該ユーザ装置２９００は処理器２９１０及び記憶器２９２０を含んでも良く、記憶器２９２０は処理器２９１０に接続される。なお、該図は例示に過ぎず、さらに他の類型の構造を用いて、該構造に対して補充又は代替を行うことで、電気通信機能又は他の機能を実現することもできる。
【０２８６】
１つの実施方式において、重複伝送の装置の機能が処理器２９１０に集積されても良い。そのうち、処理器２９１０は次のように構成されても良く、即ち、ネットワーク装置から、ユーザ装置がＣＡ及び／又は少なくとも２つの接続の操作を行うように設定するための第一設定メッセージを受信し；及び、ネットワーク装置から、重複伝送のための第二設定メッセージ、及び／又は、重複伝送のためのアクティベーション／ディアクティベーションシグナリングを受信する。
【０２８７】
もう１つの実施方式において、重複伝送の装置が処理器２９１０と別々で構成されても良く、例えば、重複伝送の装置を、処理器２９１０に接続されるチップとして構成し、処理器２９１０の制御により重複伝送の装置の機能を実現しても良い。
【０２８８】
図２９に示すように、該ユーザ装置２９００はさらに、通信モジュール２９３０、入力ユニット２９４０、表示器２９５０、電源２９６０などを含んでも良い。なお、ユーザ装置２９００は図２９に示すすべての部品を含む必要がない。また、ユーザ装置２９００は図２９に無い部品を含んでも良いが、これについては関連技術を参照することができる。
【０２８９】
図２９に示すように、処理器２９１０は制御器又は操作コントローラと称される場合があり、マイクロプロセッサ又は他の処理器装置及び／又は論理装置を含んでも良く、該処理器２９１０は入力を受信してユーザ装置２９００の各部品の操作を制御することができる。
【０２９０】
そのうち、記憶器２９２０は、例えば、バッファ、フレッシュメモリ、ＨＤＤ、可移動媒体、揮発性記憶器、不揮発性記憶器又は他の適切な装置のうちの１つ又は複数であっても良く、各種のデータを記憶することができ、また、情報処理用のプログラムを実行することもできる。処理器２９１０は、該記憶器２９２０に記憶の該プログラムを実行して、情報の記憶又は処理などを実現しても良い。あお、他の部品の機能が従来と同様であるから、ここではその詳しい説明を省略する。また、ユーザ装置２９００の各部品は専用ハードウェア、ファームウェア、ソフトウェア又はその組み合わせにより実現されても良いが、そのすべては、本発明の範囲に属する。
【０２９１】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないので、比較的高い無線リソース利用率を保証することもできる。
【実施例１９】
【０２９２】
本発明の実施例はさらにユーザ装置を提供し、該ユーザ装置は実施例１６に記載の重複伝送の装置を含む。
【０２９３】
図３０は本発明の実施例１９のユーザ装置のシステム構成を示すブロック図である。図３０に示すように、該ユーザ装置３０００は理器３０１０及び記憶器３０２０を含み、記憶器３０２０は処理器３０１０に接続される。なお、該図は例示に過ぎず、さらに他の類型の構造を用いて、該構成に対して補充又は代替を行うことで、電気通信機能又は他の機能を実現しても良い。
【０２９４】
１つの実施方式において、重複伝送の装置の機能が処理器３０１０に集積されても良い。そのうち、処理器３０１０は次のように構成されても良く、即ち、ユーザ装置ＣＡ及び／又は少なくとも２つの接続の操作を行うための第一設定メッセージを受信し；及び、該ユーザ装置重複伝送を行うための経路を確定する。
【０２９５】
もう１つの実施方式において、重複伝送の装置が処理器３０１０と別々で構成されても良く、例えば、重複伝送の装置を、処理器３０１０に接続されるチップとして構成し、処理器３０１０の制御により重複伝送の装置の機能を実現しても良い。
【０２９６】
図３０に示すように、該ユーザ装置３０００はさらに通信モジュール３０３０、入力ユニット３０４０、表示器３０５０、電源３０６０などを含んでも良い。なお、ユーザ装置３０００は図３０に示すすべての部品を含む必要がない。また、ユーザ装置３０００はさらに図３０に示されない部品を含んでも良く、これについては関連技術を参照することができる。
【０２９７】
図３０に示すように、処理器３０１０は制御器又は操作コントローラと称される場合があり、マイクロプロセッサ又は他の処理器装置及び／又は論理装置を含んでも良く、該処理器３０１０は入力を受信してユーザ装置３０００の各部品の操作を制御することができる。
【０２９８】
そのうち、記憶器３０２０は例えばバッファ、フレッシュメモリ、ＨＤＤ、可移動媒体、揮発性記憶器、不揮発性記憶器又は他の適切な装置のうちの１つ又は複数を含んでも良く、各種のデータを記憶することができ、また、情報処理用のプログラムを記憶することもできる。処理器３０１０は該記憶器３０２０に記憶の該プログラムを実行することで、情報の記憶又は処理などを実現しても良い。なお、他の部品の機能が従来と類似しているため、ここではその詳しい説明を省略する。また、ユーザ装置３０００の各部品は専用ハードウェア、ファームウェア、ソフトウェア又はその組み合わせにより実現されても良いが、そのすべては、本発明の範囲に属する。
【０２９９】
上述の実施例から分かるように、ＣＡ及び／又は少なくとも２つの接続の操作が設定されているユーザ装置が自ら重複伝送を行うための経路を確定することで、同様に、３つ又は３つ以上の伝送経路を有する重複伝送をサポートし、重複伝送のデータ伝送信頼性に対する利得、及び比較的高い無線リソース利用率を保証することができる。また、ネットワーク装置側からの重複伝送のための設定及び／又はアクティベーション／ディアクティベーションシグナリングを受信する必要がないので、ネットワークのシグナリングオーバーヘッドを節約し、無線リソースの占用を減少させ、ネットワーク実現用のアルゴリズムを簡略化することができる。
【実施例２０】
【０３００】
本発明の実施例はさらに通信システムを提供し、実施例１７に記載のネットワーク装置及び／又は実施例１８又は１９に記載のユーザ装置を含む。例えば、該通信システムの構成は図１を参照することができる。図１に示すように、通信システム１００は第一ネットワーク装置１０１、第二ネットワーク装置１０２、第三ネットワーク装置１０３及びユーザ装置１０４を含む。第一ネットワーク装置１０１、第二ネットワーク装置１０２、第三ネットワーク装置１０３のうちの少なくとも１つが実施例１７の中の記載と同じであり、ユーザ装置１０４が実施例１８又は１９における記載と同じであるから、ここでは重複の内容を省略する。
【０３０１】
上述の実施例から分かるように、ＣＡ及び／又は少なくとも２つの接続の操作が設定されているユーザ装置に対して重複伝送のための設定メッセージ及び／又は重複伝送のためのアクティベーション／ディアクティベーションシグナリングを送信することで、３つ又は３つ以上の伝送経路を有する重複伝送をサポートすることができる。また、ユーザ装置にＭＣ又は多経路のＣＡが設定されるときに、比較的良い品質を有する経路を用いてデータの重複伝送を行うことで、重複伝送のデータ伝送信頼性に対する利得を保証することができ、また、過多の無線リソースを占用することがないため、比較的高い無線リソース利用率を保証することもできる。
【０３０２】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０３０３】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０３０４】
以上、本発明の好ましい実施形態を説明したが、本発明はこのような実施形態に限定されず、本発明の趣旨を離脱しない限り、本発明に対するあらゆる変更は本発明の技術的範囲に属する。
【０３０５】
また、上述の実施例などに関し、さらに以下の付記を開示する。
【０３０６】
（付記１）
重複伝送の設定及び／又はアクティベーション装置であって、
ユーザ装置に、該ユーザ装置がＣＡ及び／又は少なくとも２つの接続の操作を行うように設定するための第一設定メッセージを送信するための第一送信ユニット；及び
前記ユーザ装置に、重複伝送のための第二設定メッセージ、及び／又は、重複伝送のためのアクティベーション／ディアクティベーションシグナリングを送信するための第二送信ユニットを含む、装置。
【０３０７】
（付記２）
付記１に記載の装置であって、
前記ユーザ装置に送信する前記第二設定メッセージは次の少なくとも１つの情報を含み、即ち、少なくとも１つのデータ無線バリア（ＤＲＢ）が重複伝送を行うために使用する経路の情報；少なくとも１つの経路が重複伝送を行うために用いられ得るかの情報；及び、少なくとも１つの経路について該経路を使用して重複伝送を行うように設定されるＤＲＢの情報である、装置。
【０３０８】
（付記３）
付記２に記載の装置であって、
前記少なくとも１つのデータ無線バリア（ＤＲＢ）が重複伝送を行うために使用する経路の情報は次の少なくとも１つを含み、即ち、少なくとも１つのＤＲＢが重複伝送されるために使用するネットワーク装置標識、セル組標識、無線リンク制御（ＲＬＣ）実体標識及び論理チャネル標識であり、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について、該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、装置。
【０３０９】
（付記４）
付記１−３のうちの任意の一項に記載の装置であって、
前記第二設定メッセージは無線リソース制御（ＲＲＣ）シグナリングである、装置。
【０３１０】
（付記５）
付記４に記載の装置であって、
前記第二設定メッセージは、ＲＲＣｒｅｃｏｎｆｉｇｕｒａｔｉｏｎメッセージ又はＲＲＣｒｅｓｕｍｅメッセージ又はＲＲＣＳｅｔｕｐメッセージ又はＲＲＣＲｅｅｓｔａｂｌｉｓｈｍｅｎｔメッセージである、装置。
【０３１１】
（付記６）
付記３に記載の装置であって、
１つのＤＲＢについて、それに対して設定される、重複伝送を行うに使用する少なくとも２つのネットワーク装置標識又は少なくとも２つのセル組標識が同じであるときに、該ＤＲＢがＣＡ（キャリアアグリゲーション）のモードを用いて重複伝送を行うことを表す、装置。
【０３１２】
（付記７）
付記１−６のうちの任意の一項に記載の装置であって、
前記第二送信ユニットは、重複伝送と設定される少なくとも１つのＤＲＢについて、その重複伝送のモードがＣＡ（キャリアアグリゲーション）モードであり、又は少なくとも２つのネットワーク装置又は少なくとも２つのセル組を用いて重複伝送を行うモードであることを設定する、装置。
【０３１３】
（付記８）
付記１−７のうちの任意の一項に記載の装置であって、
前記第二設定情報及び前記第一設定メッセージは同一のメッセージである、装置。
【０３１４】
（付記９）
付記１−８のうちの任意の一項に記載の装置であって、
ネットワーク装置の前記第二送信ユニットは前記ユーザ装置に、重複伝送のための前記アクティベーション／ディアクティベーションシグナリングを送信し、前記アクティベーション／ディアクティベーションシグナリングは、ＤＲＢの前記ネットワーク装置における重複伝送のアクティベーション状態の指示を含み、及び／又は
他のネットワーク装置の前記第二送信ユニットは前記ユーザ装置に、重複伝送のための前記アクティベーション／ディアクティベーションシグナリングを送信し、前記重複伝送のためのアクティベーション／ディアクティベーションシグナリングは、ＤＲＢの前記他のネットワーク装置における重複伝送のアクティベーション状態の指示を含み、
前記ユーザ装置と、前記ネットワーク装置及び前記他のネットワーク装置とは少なくとも２つの接続が設定される、装置。
【０３１５】
（付記１０）
付記１−８のうちの任意の一項に記載の装置であって、
前記アクティベーション／ディアクティベーションシグナリングは、重複伝送のための経路の使用状態の指示を含む、装置。
【０３１６】
（付記１１）
付記１０に記載の装置であって、
前記経路は、ネットワーク装置、セル組、媒体アクセス制御（ＭＡＣ）実体、無線リンク制御（ＲＬＣ）実体及び論理チャネルのうちの少なくとも１つを含む、装置。
【０３１７】
（付記１２）
付記１１に記載の装置であって、
前記重複伝送のための経路の使用状態の指示は、前記ネットワーク装置又はセル組又はＭＡＣ実体又はＲＬＣ実体又は論理チャネルの索引又は標識に対応するネットワーク装置又はセル組又はＭＡＣ実体又はＲＬＣ実体又は論理チャネルの使用状態を含む、装置。
【０３１８】
（付記１３）
付記１２に記載の装置であって、
現在にスプリット伝送及び／又は重複伝送と設定されるすべてのＤＲＢについて、
前記使用状態が有効であるときに、前記ＤＲＢが前記ネットワーク装置又はセル組又はＭＡＣ実体又はＲＬＣ実体又は論理チャネルを用いて重複伝送を行うことを示し、
前記使用状態が無効であるときに、前記ＤＲＢが前記ネットワーク装置又はセル組又はＭＡＣ実体又はＲＬＣ実体又は論理チャネルを用いて重複伝送を行わないことを示す、装置。
【０３１９】
（付記１４）
付記１０−１３のうちの任意の一項に記載の装置であって、
前記アクティベーション／ディアクティベーションシグナリングは、媒体アクセス制御層の制御ユニット（ＭＡＣ  ＣＥ）又はパケットデータコンバージェンスプロトコル（ＰＤＣＰ）の制御プロトコルデータユニット（ＰＤＵ）である、装置。
【０３２０】
（付記１５）
付記１に記載の装置であって、
前記アクティベーション／ディアクティベーションシグナリングは、重複伝送と設定される少なくとも１つのＤＲＢの経路における使用状態の指示を含む、装置。
【０３２１】
（付記１６）
付記１５に記載の装置であって、
前記アクティベーション／ディアクティベーションシグナリングは、さらに、重複伝送と設定される少なくとも１つのＤＲＢと、経路とのマッピング関係を含む、装置。
【０３２２】
（付記１７）
付記１５又は１６に記載の装置であって、
前記アクティベーション／ディアクティベーションシグナリングは、ＭＡＣ  ＣＥ又はＰＤＣＰの制御ＰＤＵである、装置。
【０３２３】
（付記１８）
付記１５又は１６に記載の装置であって、
前記使用状態の指示は、重複伝送と設定される少なくとも１つのＤＲＢについて、少なくとも１つの経路の使用状態を含む、装置。
【０３２４】
（付記１９）
付記１８に記載の装置であって、
前記経路は、ネットワーク装置、セル組、ＭＡＣ実体、ＲＬＣ実体及び論理チャネルのうちの少なくとも１つを含み、
前記使用状態が有効であるときに、前記ネットワーク装置又はセル組又はＭＡＣ実体又はＲＬＣ実体又は論理チャネルを用いて重複伝送を行うことを示し、
前記使用状態が無効であるときに、前記ネットワーク装置又はセル組又はＭＡＣ実体又はＲＬＣ実体又は論理チャネルを用いて重複伝送を行わないことを示す、装置。
【０３２５】
（付記２０）
付記１０−１９のうちの任意の一項に記載の装置であって、
前記装置はさらに、
前記アクティベーション／ディアクティベーションシグナリングを送信するネットワーク装置又はセル組以外の他のネットワーク装置又はセル組の重複伝送に関する使用状態を取得するための取得ユニットを含み、
前記ユーザ装置と、前記ネットワーク装置及び前記他のネットワーク装置とは少なくとも２つの接続が設定される、装置。
【０３２６】
（付記２１）
重複伝送の装置であって、
ネットワーク装置から、ユーザ装置がＣＡ及び／又は少なくとも２つの接続の操作を行うように設定するための第一設定メッセージを受信するための第一受信ユニット；及び
ネットワーク装置から、重複伝送のための第二設定メッセージ、及び／又は、重複伝送のためのアクティベーション／ディアクティベーションシグナリングを受信するための第二受信ユニットを含む、装置。
【０３２７】
（付記２２）
付記２１に記載の装置であって、
前記ネットワーク装置から受信する前記第二設定メッセージは、次の少なくとも１つの情報を含み、即ち、少なくとも１つのデータ無線バリア（ＤＲＢ）が重複伝送されるために使用する経路の情報、少なくとも１つの経路が重複伝送を行うために用いられ得るかの情報、及び、少なくとも１つの経路について該経路を使用して重複伝送を行うように設定されるＤＲＢの情報である、装置。
【０３２８】
（付記２３）
付記２２に記載の装置であって、
前記少なくとも１つのデータ無線バリア（ＤＲＢ）が重複伝送されるために使用する経路の情報は次の少なくとも１つを含み、即ち、少なくとも１つのＤＲＢが重複伝送を行うために使用するネットワーク装置標識、セル組標識、ＲＬＣ実体標識及び論理チャネル標識であり、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について、該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、装置。
【０３２９】
（付記２４）
付記２１−２３のうちの任意の一項に記載の装置であって、
前記ネットワーク装置から受信する前記第二設定メッセージは無線リソース制御（ＲＲＣ）シグナリングである、装置。
【０３３０】
（付記２５）
付記２４に記載の装置であって、
前記第二設定メッセージは、ＲＲＣｒｅｃｏｎｆｉｇｕｒａｔｉｏｎメッセージ又はＲＲＣｒｅｓｕｍｅメッセージ又はＲＲＣＳｅｔｕｐメッセージ又はＲＲＣＲｅｅｓｔａｂｌｉｓｈｍｅｎｔメッセージである、装置。
【０３３１】
（付記２６）
付記２３に記載の装置であって、
１つのＤＲＢについて、それに対して設定される、重複伝送を行うに使用する少なくとも２つのネットワーク装置標識又は少なくとも２つのセル組標識が同じであるときに、該ＤＲＢがＣＡ（キャリアアグリゲーション）のモードを用いて重複伝送を行うことを表す、装置。
【０３３２】
（付記２７）
付記２１−２６のうちの任意の一項に記載の装置であって、
重複伝送と設定される少なくとも１つのＤＲＢについて、その重複伝送のモードがＣＡ（キャリアアグリゲーション）モード又は少なくとも２つのセル組を使用して重複伝送を行うモードと設定される、装置。
【０３３３】
（付記２８）
付記２１−２７のうちの任意の一項に記載の装置であって、
前記ネットワーク装置から受信する前記第二設定情報及び前記第一設定メッセージは同一のメッセージである、装置。
【０３３４】
（付記２９）
付記２１−２８のうちの任意の一項に記載の装置であって、
前記第二受信ユニットは、少なくとも２つのネットワーク装置からそれぞれ少なくとも１つのＤＲＢの重複伝送のアクティベーション状態の指示を受信し、
前記ユーザ装置と、前記少なくとも２つのネットワーク装置とは少なくとも２つの接続が設定される、装置。
【０３３５】
（付記３０）
付記２９に記載の装置であって、
前記装置はさらに第一確定ユニットを含み、
前記第一確定ユニットは、前記ユーザ装置の、少なくとも１つのネットワーク装置又は少なくとも１つのセル組に対応する少なくとも１つのＭＡＣ実体が、前記指示に基づいて、前記ＭＡＣ実体に関する少なくとも１つのＤＲＢの重複伝送のアクティベーション状態を確定するようにさせる、装置。
【０３３６】
（付記３１）
付記２９又は３０に記載の装置であって、
前記装置はさらに第一伝送ユニットを含み、
前記第一伝送ユニットは、前記ユーザ装置の、少なくとも１つのネットワーク装置又は少なくとも１つのセル組に対応する少なくとも１つのＭＡＣ実体が、前記アクティベーション／ディアクティベーションシグナリングにおいて重複伝送がアクティベーションされる少なくとも１つのＤＲＢについて、前記ネットワーク装置又は前記セル組を用いて前記ＤＲＢの重複伝送を行うようにさせ、及び／又は、前記ユーザ装置の、１つのネットワーク装置又は１つのセル組に対応する１つのＭＡＣ実体が、前記アクティベーション／ディアクティベーションシグナリングにおいて重複伝送がディアクティベーションされる１つのＤＲＢについて、前記ネットワーク装置又は前記セル組を用いて前記ＤＲＢの重複伝送を行わないようにさせる、装置。
【０３３７】
（付記３２）
付記２９又は３０に記載の装置であって、
前記装置はさらに第二伝送ユニットを含み、
前記第二伝送ユニットは、前記ユーザ装置の、少なくとも１つのネットワーク装置又は少なくとも１つのセル組に対応する少なくとも１つのＭＡＣ実体が、前記アクティベーション／ディアクティベーションシグナリングにおいて重複伝送がアクティベーションされる少なくとも１つのＤＲＢについて、前記ＤＲＢのために設定される、前記ＭＡＣ実体に関連するＲＬＣ実体及び／又は論理チャネルを用いて前記ＤＲＢの重複伝送を行うようにさせ、及び／又は、前記ユーザ装置の、１つのネットワーク装置又は１つのセル組に対応する１つのＭＡＣ実体が、前記アクティベーション／ディアクティベーションシグナリングにおいて重複伝送がディアクティベーションされる少なくとも１つのＤＲＢについて、前記ＤＲＢのために設定される、前記ＭＡＣ実体に関連するＲＬＣ実体及び／又は論理チャネルを用いて前記ＤＲＢの重複伝送を行わないようにさせる、装置。
【０３３８】
（付記３３）
付記２９−３２のうちの任意の一項に記載の装置であって、
ＣＡモードを採用して重複伝送を行うＤＲＢについて、その重複伝送がアクティベーションされるときに、前記ＤＲＢのネットワーク装置又はセル組におけるすべての対応するＲＬＣ実体及び／又は論理チャネルは前記ＤＲＢの重複伝送に用いられ、その重複伝送がディアクティベーションされるときに、前記ＤＲＢのネットワーク装置又はセル組におけるマスターＲＬＣ実体及び／又はマスター論理チャネルは前記ＤＲＢの伝送のために用いられ、他の対応のＲＬＣ実体及び／又は他の論理チャネルは前記ＤＲＢの伝送のために用いられない、装置。
【０３３９】
（付記３４）
付記２１に記載の装置であって、
前記第二受信ユニットは前記ネットワーク装置から重複伝送のための経路の使用状態の指示を受信する、装置。
【０３４０】
（付記３５）
付記３４に記載の装置であって、
前記装置はさらに第三伝送ユニットを含み、
前記第三伝送ユニットは、現在にスプリット伝送及び／又は重複伝送と設定されるすべてのＤＲＢについて、すべて、使用状態が有効である経路を用いて重複伝送を行い、使用状態が無効である経路を用いて重複伝送行わない、装置。
【０３４１】
（付記３６）
付記３４又は３５に記載の装置であって、
前記装置はさらに無視ユニットを含み、
前記無視ユニットは、１つのＤＲＢについて、前記ＤＲＢのスプリット伝送が設定されない経路について、該経路を用いて重複伝送を行う指示を無視する、装置。
【０３４２】
（付記３７）
付記３４−３６のうちの任意の一項に記載の装置であって、
ＣＡモードを採用して重複伝送を行うＤＲＢについて、その重複伝送がアクティベーションされるときに、前記ＤＲＢのネットワーク装置又はセル組におけるすべての対応するＲＬＣ実体及び／又は論理チャネルは前記ＤＲＢの重複伝送に用いられ、その重複伝送がディアクティベーションされるときに、前記ＤＲＢのネットワーク装置又はセル組におけるマスターＲＬＣ実体及び／又はマスター論理チャネルは前記ＤＲＢの重複伝送に用いられ、他の対応のＲＬＣ実体及び／又は他の論理チャネルは前記ＤＲＢの重複伝送に用いられない、装置。
【０３４３】
（付記３８）
付記２１−２８のうちの任意の一項に記載の装置であって、
前記第二受信ユニットが受信した前記アクティベーション／ディアクティベーションシグナリングは、重複伝送と設定される１つのＤＲＢの経路における使用状態の指示を含む、装置。
【０３４４】
（付記３９）
付記３８に記載の装置であって、
前記装置はさらに第二確定ユニットを含み、
前記第二確定ユニットは、重複伝送と設定される前記少なくとも１つのＤＲＢの経路における使用状態の指示に基づいて、前記ＤＲＢの重複伝送を行うために使用する経路を確定する、装置。
【０３４５】
（付記４０）
付記３８又は３９に記載の装置であって、
ＣＡモードを採用して重複伝送を行うＤＲＢについて、その重複伝送がアクティベーションされるときに、前記ＤＲＢネットワーク装置又はセル組におけるすべての対応するＲＬＣ実体及び／又は論理チャネル前記ＤＲＢの伝送のために用いられ、その重複伝送がディアクティベーションされるときに、前記ＤＲＢのネットワーク装置又はセル組におけるマスターＲＬＣ実体及び／又はマスター論理チャネルは前記ＤＲＢの伝送のために用いられ、他の対応のＲＬＣ実体及び／又は他の論理チャネルは前記ＤＲＢの伝送のために用いられない、位置。
【０３４６】
（付記４１）
重複伝送の装置であって、
ＣＡ及び／又は少なくとも２つの接続の操作を行うための第一設定メッセージを受信するための第三受信ユニット；及び
重複伝送を行うための経路を確定するための第三確定ユニットを含む、装置。
【０３４７】
（付記４２）
付記４１に記載の装置であって、
前記第三確定ユニットは、送信成功パワー、下りリンク測定結果及び上りリンク測定結果のうちの少なくとも１つに基づいて、重複伝送を行うための経路を確定する、装置。
【０３４８】
（付記４３）
付記４１又は４２に記載の装置であって、
前記第三確定ユニットは、重複伝送と設定される少なくとも１つのＤＲＢについて、前記ＤＲＢの重複伝送を行う経路を確定し、又は、前記第三確定ユニットは、重複伝送と設定されすべてのＤＲＢについて、重複伝送を行う経路を確定する、装置。
【０３４９】
（付記４４）
付記４１−４３のうちの任意の一項に記載の装置であって、
前記第三確定ユニットはＰＤＣＰ実体により前記経路を確定する、装置。
【０３５０】
（付記４５）
ネットワーク装置であって、
前記ネットワーク装置は付記１−２０のうちの任意の一項に記載の装置含む、ネットワーク装置。
【０３５１】
（付記４６）
ユーザ装置であって、
前記ユーザ装置は付記２１−４０のうちの任意の一項に記載の装置及び／又は付記４１−４４のうちの任意の一項に記載の装置を含む、ユーザ装置。
【０３５２】
（付記４７）
通信システムであって、
前記通信システムは付記４５に記載のネットワーク装置及び／又は付記４６に記載のユーザ装置を含む、通信システム。
【０３５３】
（付記４８）
重複伝送の設定及び／又はアクティベーション方法であって、
ユーザ装置に、該ユーザ装置がＣＡ及び／又は少なくとも２つの接続の操作を行うように設定するための第一設定メッセージを送信し；及び
前記ユーザ装置に、重複伝送のための第二設定メッセージ、及び／又は、重複伝送のためのアクティベーション／ディアクティベーションシグナリングを送信することを含む、方法。
【０３５４】
（付記４９）
付記４８に記載の方法であって、
前記ユーザ装置に送信する前記第二設定メッセージは次の少なくとも１つの情報を含み、即ち、少なくとも１つのデータ無線バリア（ＤＲＢ）が重複伝送されるために使用する経路の情報；少なくとも１つの経路が重複伝送を行うために用いられ得るかの情報；及び、少なくとも１つの経路について該経路を使用して重複伝送を行うように設定されるＤＲＢの情報である、方法。
【０３５５】
（付記５０）
付記４９に記載の方法であって、
前記少なくとも１つのデータ無線バリア（ＤＲＢ）が重複伝送されるために使用する経路の情報は次の少なくとも１つを含み、即ち、少なくとも１つのＤＲＢが重複伝送されるために使用するネットワーク装置標識、セル組標識、無線リンク制御（ＲＬＣ）実体標識及び論理チャネル標識であり、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、方法。
【０３５６】
（付記５１）
付記４８−５０のうちの任意の一項に記載の方法であって、
前記第二設定メッセージは無線リソース制御（ＲＲＣ）シグナリングである、方法。
【０３５７】
（付記５２）
付記５１に記載の方法であって、
前記第二設定メッセージは、ＲＲＣｒｅｃｏｎｆｉｇｕｒａｔｉｏｎメッセージ又はＲＲＣｒｅｓｕｍｅメッセージ又はＲＲＣＳｅｔｕｐメッセージ又はＲＲＣＲｅｅｓｔａｂｌｉｓｈｍｅｎｔメッセージである、方法。
【０３５８】
（付記５３）
付記５０に記載の方法であって、
１つのＤＲＢについて、それに対して設定される、重複伝送を行うに使用する少なくとも２つのネットワーク装置標識又は少なくとも２つのセル組標識が同じであるときに、該ＤＲＢがＣＡ（キャリアアグリゲーション）のモードを用いて重複伝送を行うことを表す、方法。
【０３５９】
（付記５４）
付記４８−５３のうちの任意の一項に記載の方法であって、
前記ユーザ装置に、重複伝送のための第二設定メッセージを送信することは、重複伝送と設定される少なくとも１つのＤＲＢについて、その重複伝送のモードがＣＡ（キャリアアグリゲーション）モードであり、又は、少なくとも２つのネットワーク装置又は少なくとも２つのセル組を用いて重複伝送を行うモードであることを設定することを含む、方法。
【０３６０】
（付記５５）
付記４８−５４のうちの任意の一項に記載の方法であって、
前記第二設定情報及び前記第一設定メッセージは同一のメッセージである、方法。
【０３６１】
（付記５６）
付記４８−５５のうちの任意の一項に記載の方法であって、
前記ユーザ装置に、重複伝送のためのアクティベーション／ディアクティベーションシグナリングを送信することは、
ネットワーク装置が前記ユーザ装置に、前記重複伝送のためのアクティベーション／ディアクティベーションシグナリングを送信し、前記アクティベーション／ディアクティベーションシグナリングは、ＤＲＢの前記ネットワーク装置における重複伝送のアクティベーション状態の指示を含み、及び／又は
他のネットワーク装置が前記ユーザ装置に、前記重複伝送のためのアクティベーション／ディアクティベーションシグナリングを送信し、前記重複伝送のためのアクティベーション／ディアクティベーションシグナリングは、ＤＲＢの前記他のネットワーク装置における重複伝送のアクティベーション状態の指示を含む、ことを含み、
前記ユーザ装置と、前記ネットワーク装置及び前記他のネットワーク装置とは少なくとも２つの接続が設定される、方法。
【０３６２】
（付記５７）
付記４８−５５のうちの任意の一項に記載の方法であって、
前記アクティベーション／ディアクティベーションシグナリングは、重複伝送のための経路の使用状態の指示を含む、方法。
【０３６３】
（付記５８）
付記５７に記載の方法であって、
前記経路は、ネットワーク装置、セル組、媒体アクセス制御（ＭＡＣ）実体、無線リンク制御（ＲＬＣ）実体及び論理チャネルのうちの少なくとも１つを含む、方法。
【０３６４】
（付記５９）
付記５８に記載の方法であって、
前記重複伝送のための経路の使用状態の指示は、前記ネットワーク装置又はセル組又はＭＡＣ実体又はＲＬＣ実体又は論理チャネルの索引又は標識に対応するネットワーク装置又はセル組又はＭＡＣ実体又はＲＬＣ実体又は論理チャネルの使用状態を含む、方法。
【０３６５】
（付記６０）
付記５９に記載の方法であって、
現在にスプリット伝送及び／又は重複伝送と設定されるすべてのＤＲＢについて、
前記使用状態が有効であるときに、前記ＤＲＢが前記ネットワーク装置又はセル組又はＭＡＣ実体又はＲＬＣ実体又は論理チャネルを用いて重複伝送を行うことを示し、
前記使用状態が無効であるときに、前記ＤＲＢが前記ネットワーク装置又はセル組又はＭＡＣ実体又はＲＬＣ実体又は論理チャネルを用いて重複伝送を行わないことを示す、方法。
【０３６６】
（付記６１）
付記５７−６０のうちの任意の一項に記載の方法であって、
前記アクティベーション／ディアクティベーションシグナリングは、媒体アクセス制御層の制御ユニット（ＭＡＣ  ＣＥ）又はパケットデータコンバージェンスプロトコル（ＰＤＣＰ）の制御プロトコルデータユニット（ＰＤＵ）である、方法。
【０３６７】
（付記６２）
付記４８に記載の方法であって、
前記アクティベーション／ディアクティベーションシグナリングは、重複伝送と設定される少なくとも１つのＤＲＢの経路における使用状態の指示を含む、方法。
【０３６８】
（付記６３）
付記６２に記載の方法であって、
前記アクティベーション／ディアクティベーションシグナリングは、さらに、重複伝送と設定される少なくとも１つのＤＲＢと、経路とのマッピング関係を含む、方法。
【０３６９】
（付記６４）
付記６２又は６３に記載の方法であって、
前記アクティベーション／ディアクティベーションシグナリングは、ＭＡＣ  ＣＥ又はＰＤＣＰの制御ＰＤＵである、方法。
【０３７０】
（付記６５）
付記６２又は６３に記載の方法であって、
前記使用状態の指示は、重複伝送と設定される少なくとも１つのＤＲＢについて、少なくとも１つの経路の使用状態を含む、方法。
【０３７１】
（付記６６）
付記６５に記載の方法であって、
前記経路は、ネットワーク装置、セル組、ＭＡＣ実体、ＲＬＣ実体及び論理チャネルのうちの少なくとも１つを含み、
前記使用状態が有効であるときに、前記ネットワーク装置又はセル組又はＭＡＣ実体又はＲＬＣ実体又は論理チャネルを用いて重複伝送を行うことを示し、
前記使用状態が無効であるときに、前記ネットワーク装置又はセル組又はＭＡＣ実体又はＲＬＣ実体又は論理チャネルを用いて重複伝送を行わないことを示す、方法。
【０３７２】
（付記６７）
付記５７−６６のうちの任意の一項に記載の方法であって、
前記方法はさらに、
前記アクティベーション／ディアクティベーションシグナリングを送信するネットワーク装置又はセル組以外の他のネットワーク装置又はセル組の重複伝送に関する使用状態を得ることを含み、
前記ユーザ装置と、前記ネットワーク装置及び前記他のネットワーク装置とは少なくとも２つの接続が設定される、方法。
【０３７３】
（付記６８）
重複伝送の方法であって、
ネットワーク装置から、ユーザ装置がＣＡ及び／又は少なくとも２つの接続の操作を行うように設定するための第一設定メッセージを受信し；及び
前記ネットワーク装置から、重複伝送のための第二設定メッセージ、及び／又は、重複伝送のためのアクティベーション／ディアクティベーションシグナリングを受信することを含む、方法。
【０３７４】
（付記６９）
付記６８に記載の方法であって、
前記ネットワーク装置から受信する前記第二設定メッセージは、次の少なくとも１つの情報を含み、即ち、少なくとも１つのデータ無線バリア（ＤＲＢ）が重複伝送されるために使用する経路の情報；少なくとも１つの経路が重複伝送を行うために用いられ得るかの情報；及び、少なくとも１つの経路について該経路を使用して重複伝送を行うように設定されるＤＲＢの情報である、方法。
【０３７５】
（付記７０）
付記６９に記載の方法であって、
前記少なくとも１つのデータ無線バリア（ＤＲＢ）が重複伝送されるために使用する経路の情報は次の少なくとも１つを含み、即ち、少なくとも１つのＤＲＢが重複伝送されるために使用するネットワーク装置標識、セル組標識、ＲＬＣ実体標識及び論理チャネル標識であり、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、方法。
【０３７６】
（付記７１）
付記６８−７０のうちの任意の一項に記載の方法であって、
前記ネットワーク装置から受信する前記第二設定メッセージは無線リソース制御（ＲＲＣ）シグナリングである、方法。
【０３７７】
（付記７２）
付記７１に記載の方法であって、
前記第二設定メッセージは、ＲＲＣｒｅｃｏｎｆｉｇｕｒａｔｉｏｎメッセージ又はＲＲＣｒｅｓｕｍｅメッセージ又はＲＲＣＳｅｔｕｐメッセージ又はＲＲＣＲｅｅｓｔａｂｌｉｓｈｍｅｎｔメッセージである、方法。
【０３７８】
（付記７３）
付記７０に記載の方法であって、
１つのＤＲＢについて、それに対して設定される、重複伝送を行うに使用する少なくとも２つのネットワーク装置標識又は少なくとも２つのセル組標識が同じであるときに、該ＤＲＢがＣＡ（キャリアアグリゲーション）のモードを用いて重複伝送を行うことを表す、方法。
【０３７９】
（付記７４）
付記６８−７３のうちの任意の一項に記載の方法であって、
重複伝送と設定される少なくとも１つのＤＲＢについて、その重複伝送のモードが被ＣＡ（キャリアアグリゲーション）モード、又は、少なくとも２つのセル組を使用して重複伝送を行うモードであると設定される、方法。
【０３８０】
（付記７５）
付記６８−７３のうちの任意の一項に記載の方法であって、
前記ネットワーク装置から受信する前記第二設定情報及び前記第一設定メッセージは同一のメッセージである、方法。
【０３８１】
（付記７６）
付記６８−７５のうちの任意の一項に記載の方法であって、
ネットワーク装置から、重複伝送のためのアクティベーション／ディアクティベーションシグナリングを受信することは、
ユーザ装置が、少なくとも２つのネットワーク装置からそれぞれ少なくとも１つのＤＲＢの重複伝送のアクティベーション状態の指示を受信することを含み、
前記ユーザ装置と、前記少なくとも２つのネットワーク装置とは少なくとも２つの接続が設定される、方法。
【０３８２】
（付記７７）
付記７６に記載の方法であって、
前記方法はさらに、
前記ユーザ装置の、少なくとも１つのネットワーク装置又は少なくとも１つのセル組に対応する少なくとも１つのＭＡＣ実体が、前記指示に基づいて、前記ＭＡＣ実体に関する少なくとも１つのＤＲＢの重複伝送のアクティベーション状態を確定することを含む、方法。
【０３８３】
（付記７８）
付記７６又は７７に記載の方法であって、
前記方法はさらに、
前記ユーザ装置の、少なくとも１つのネットワーク装置又は少なくとも１つのセル組に対応する少なくとも１つのＭＡＣ実体が、前記アクティベーション／ディアクティベーションシグナリングにおいて重複伝送がアクティベーションされる少なくとも１つのＤＲＢについて、前記ネットワーク装置又は前記セル組を用いて前記ＤＲＢの重複伝送を行うようにさせ；及び／又は
前記ユーザ装置の、１つのネットワーク装置又は１つのセル組に対応する１つのＭＡＣ実体が、前記アクティベーション／ディアクティベーションシグナリングにおいて重複伝送がディアクティベーションされる１つのＤＲＢについて、前記ネットワーク装置又は前記セル組を用いて前記ＤＲＢの重複伝送を行わないようにさせる、方法。
【０３８４】
（付記７９）
付記７６又は７７に記載の方法であって、
前記方法はさらに、
前記ユーザ装置の、少なくとも１つのネットワーク装置又は少なくとも１つのセル組に対応する少なくとも１つのＭＡＣ実体が、前記アクティベーション／ディアクティベーションシグナリングにおいて重複伝送がアクティベーションされる少なくとも１つのＤＲＢについて、前記ＤＲＢのために設定される、前記ＭＡＣ実体に関連するＲＬＣ実体及び／又は論理チャネルを用いて前記ＤＲＢの重複伝送を行うようにさせ；及び／又は
前記ユーザ装置の、１つのネットワーク装置又は１つのセル組に対応する１つのＭＡＣ実体が、対前記アクティベーション／ディアクティベーションシグナリングにおいて重複伝送がディアクティベーションされる少なくとも１つのＤＲＢについて、前記ＤＲＢのために設定される、前記ＭＡＣ実体に関連するＲＬＣ実体及び／又は論理チャネルを用いて前記ＤＲＢの重複伝送を行わないようにさせる、方法。
【０３８５】
（付記８０）
付記７６−７９のうちの任意の一項に記載の方法であって、
ＣＡモードを採用して重複伝送を行うＤＲＢについて、その重複伝送がアクティベーションされるときに、前記ＤＲＢのネットワーク装置又はセル組におけるすべての対応するＲＬＣ実体及び／又は論理チャネルは前記ＤＲＢの重複伝送に用いられ、その重複伝送がディアクティベーションされるときに、前記ＤＲＢのネットワーク装置又はセル組におけるマスターＲＬＣ実体及び／又はマスター論理チャネルは前記ＤＲＢの伝送のために用いられ、他の対応のＲＬＣ実体及び／又は他の論理チャネルは前記ＤＲＢの伝送のために用いられない、方法。
【０３８６】
（付記８１）
付記６８に記載の方法であって、
ネットワーク装置から、重複伝送のための第二設定メッセージ、及び／又は、重複伝送のためのアクティベーション／ディアクティベーションシグナリングを受信することは、前記ネットワーク装置から重複伝送のための経路の使用状態の指示を受信する、方法。
【０３８７】
（付記８２）
付記８１に記載の方法であって、
前記方法はさらに、
現在にスプリット伝送及び／又は重複伝送と設定されるすべてのＤＲＢについて、すべて、使用状態が有効である経路を用いて重複伝送を行い、使用状態が無効である経路を用いて重複伝送を行わない、方法。
【０３８８】
（付記８３）
付記８１又は８２に記載の方法であって、
前記方法はさらに、
１つのＤＲＢについて、前記ＤＲＢのスプリット伝送が設定されない経路について、該経路を用いて重複伝送を行う指示を無視する、方法。
【０３８９】
（付記８４）
付記８１−８３のうちの任意の一項に記載の方法であって、
ＣＡモードを採用して重複伝送を行うＤＲＢについて、その重複伝送がアクティベーションされるときに、前記ＤＲＢのネットワーク装置又はセル組におけるすべての対応するＲＬＣ実体及び／又は論理チャネルは前記ＤＲＢの重複伝送に用いられ、その重複伝送がディアクティベーションされるときに、前記ＤＲＢのネットワーク装置又はセル組におけるマスターＲＬＣ実体及び／又はマスター論理チャネルは前記ＤＲＢの重複伝送に用いられ、他の対応のＲＬＣ実体及び／又は他の論理チャネルは前記ＤＲＢの重複伝送に用いられない、方法。
【０３９０】
（付記８５）
付記６８−７５のうちの任意の一項に記載の方法であって、
受信した前記アクティベーション／ディアクティベーションシグナリングは重複伝送と設定される１つのＤＲＢの経路における使用状態の指示を含む、方法。
【０３９１】
（付記８６）
付記８５に記載の方法であって、
前記方法はさらに、
前記の重複伝送と設定される少なくとも１つのＤＲＢの経路における使用状態の指示に基づいて、前記ＤＲＢの重複伝送を行うに使用する経路を確定することを含む、方法。
【０３９２】
（付記８７）
付記８５又は８６に記載の方法であって、
ＣＡモードを採用して重複伝送を行うＤＲＢについて、その重複伝送がアクティベーションされるときに、前記ＤＲＢネットワーク装置又はセル組におけるすべての対応するＲＬＣ実体及び／又は論理チャネル前記ＤＲＢの伝送のために用いられ、その重複伝送がディアクティベーションされるときに、前記ＤＲＢのネットワーク装置又はセル組におけるマスターＲＬＣ実体及び／又はマスター論理チャネルは前記ＤＲＢの伝送のために用いられ、他の対応のＲＬＣ実体及び／又は他の論理チャネルは前記ＤＲＢの伝送のために用いられない、方法。
【０３９３】
（付記８８）
重複伝送の方法であって、
ユーザ装置がＣＡ及び／又は少なくとも２つの接続の操作を行うための第一設定メッセージを受信し；及び
前記ユーザ装置が重複伝送を行うための経路を確定することを含む、方法。
【０３９４】
（付記８９）
付記８８に記載の方法であって、
前記ユーザ装置が重複伝送を行うための経路を確定することは、
送信成功パワー、下りリンク測定結果及び上りリンク測定結果のうちの少なくとも１つに基づいて、重複伝送を行うための経路を確定することを含む、方法。
【０３９５】
（付記９０）
付記８８又は８９に記載の方法であって、
前記ユーザ装置が、重複伝送と設定される少なくとも１つのＤＲＢについて、前記ＤＲＢの重複伝送を行う経路を確定し、又は、前記ユーザ装置が、重複伝送と設定されすべてのＤＲＢについて、重複伝送を行う経路を確定する、方法。
【０３９６】
（付記９１）
付記８８−９０のうちの任意の一項に記載の方法であって、
前記ユーザ装置のＰＤＣＰ実体により前記経路を確定する、方法。
【図１】
2021533602.tif 000003
【図２】
2021533602.tif 000004
【図３】
2021533602.tif 000005
【図４】
2021533602.tif 000006
【図５】
2021533602.tif 000007
【図６】
2021533602.tif 000008
【図７】
2021533602.tif 000009
【図８】
2021533602.tif 000010
【図９】
2021533602.tif 000011
【図１０】
2021533602.tif 000012
【図１１】
2021533602.tif 000013
【図１２】
2021533602.tif 000014
【図１３】
2021533602.tif 000015
【図１４】
2021533602.tif 000016
【図１５】
2021533602.tif 000017
【図１６】
2021533602.tif 000018
【図１７】
2021533602.tif 000019
【図１８】
2021533602.tif 000020
【図１９】
2021533602.tif 000021
【図２０】
2021533602.tif 000022
【図２１】
2021533602.tif 000023
【図２２】
2021533602.tif 000024
【図２３】
2021533602.tif 000025
【図２４】
2021533602.tif 000026
【図２５】
2021533602.tif 000027
【図２６】
2021533602.tif 000028
【図２７】
2021533602.tif 000029
【図２８】
2021533602.tif 000030
【図２９】
2021533602.tif 000031
【図３０】
2021533602.tif 000032
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
重複伝送の設定及び／又はアクティベーション装置であって、
ユーザ装置に、該ユーザ装置がＣＡ（キャリアアグリゲーション）及び／又は少なくとも２つの接続の操作を行うように設定するための第一設定メッセージを送信するための第一送信ユニット；及び
前記ユーザ装置に、少なくとも３つの経路（ｌｅｇ）の重複伝送のための第二設定メッセージ、及び／又は、重複伝送のためのアクティベーション／ディアクティベーションシグナリングを送信するための第二送信ユニットを含む、重複伝送の設定及び／又はアクティベーション装置。
【請求項２】
請求項１に記載の重複伝送の設定及び／又はアクティベーション装置であって、
前記第二設定情報及び前記第一設定メッセージは同じメッセージである、重複伝送の設定及び／又はアクティベーション装置。
【請求項３】
請求項１に記載の重複伝送の設定及び／又はアクティベーション装置であって、
前記ユーザ装置に送信する前記第二設定メッセージは、
少なくとも１つのデータ無線バリア（ＤＲＢ）が重複伝送されるために使用する経路の情報；
少なくとも１つの経路が重複伝送を行うために用いられ得るかの情報；及び
少なくとも１つの経路について、該経路を使用して重複伝送を行うように設定されるＤＲＢの情報
のうちのの少なくとも１つの情報を含む、重複伝送の設定及び／又はアクティベーション装置。
【請求項４】
請求項３に記載の重複伝送の設定及び／又はアクティベーション装置であって、
前記少なくとも１つのデータ無線バリア（ＤＲＢ）が重複伝送されるために使用する経路の情報は、少なくとも１つのＤＲＢが重複伝送されるために使用するネットワーク装置標識、セル組標識、無線リンク制御（ＲＬＣ）実体標識、及び論理チャネル標識のうちの少なくとも１つを含み、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について、該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、重複伝送の設定及び／又はアクティベーション装置。
【請求項５】
請求項１−４のうちの任意の一項に記載の重複伝送の設定及び／又はアクティベーション装置であって、
前記第二設定メッセージは無線リソース制御（ＲＲＣ）シグナリングである、重複伝送の設定及び／又はアクティベーション装置。
【請求項６】
請求項１−４のうちの任意の一項に記載の重複伝送の設定及び／又はアクティベーション装置であって、
ネットワーク装置の前記第二送信ユニットは前記ユーザ装置に、重複伝送のための前記アクティベーション／ディアクティベーションシグナリングを送信し、重複伝送のための前記アクティベーション／ディアクティベーションシグナリングは、ＤＲＢの、前記ネットワーク装置における重複伝送のアクティベーション状態の指示を含み、及び／又は
他のネットワーク装置の前記第二送信ユニットは前記ユーザ装置に、重複伝送のための前記アクティベーション／ディアクティベーションシグナリングを送信し、重複伝送のための前記アクティベーション／ディアクティベーションシグナリングは、ＤＲＢの、前記他のネットワーク装置における重複伝送のアクティベーション状態の指示を含み、
前記ユーザ装置と、前記ネットワーク装置及び前記他のネットワーク装置とは、少なくとも２つの接続が設定される、重複伝送の設定及び／又はアクティベーション装置。
【請求項７】
請求項１−４のうちの任意の一項に記載の重複伝送の設定及び／又はアクティベーション装置であって、
前記アクティベーション／ディアクティベーションシグナリングは重複伝送のための経路の使用状態の指示を含む、重複伝送の設定及び／又はアクティベーション装置。
【請求項８】
請求項７に記載の重複伝送の設定及び／又はアクティベーション装置であって、
前記経路は、ネットワーク装置、セル組、媒体アクセス制御（ＭＡＣ）実体、無線リンク制御（ＲＬＣ）実体、及び論理チャネルのうちの少なくとも１つを含む、重複伝送の設定及び／又はアクティベーション装置。
【請求項９】
請求項８に記載の重複伝送の設定及び／又はアクティベーション装置であって、
重複伝送のための前記経路の使用状態の指示は、前記ネットワーク装置又はセル組又はＭＡＣ実体又はＲＬＣ実体又は論理チャネルの索引又は標識に対応するネットワーク装置又はセル組又はＭＡＣ実体又はＲＬＣ実体又は論理チャネルの使用状態を含む、重複伝送の設定及び／又はアクティベーション装置。
【請求項１０】
請求項１に記載の重複伝送の設定及び／又はアクティベーション装置であって、
前記アクティベーション／ディアクティベーションシグナリングは、ＭＡＣ  ＣＥによる、重複伝送と設定され少なくとも１つのＤＲＢの経路の使用状態の指示を含む、重複伝送の設定及び／又はアクティベーション装置。
【請求項１１】
請求項１０に記載の重複伝送の設定及び／又はアクティベーション装置であって、
前記経路の前記使用状態は前記経路の索引の昇順の方式で配列される、重複伝送の設定及び／又はアクティベーション装置。
【請求項１２】
請求項１０に記載の重複伝送の設定及び／又はアクティベーション装置であって、
前記経路は、セル組標識、ＲＬＣ実体標識及び論理チャネル標識のうちの少なくとも１つを含む、重複伝送の設定及び／又はアクティベーション装置。
【請求項１３】
請求項１２に記載の重複伝送の設定及び／又はアクティベーション装置であって、
前記使用状態が１であるときに、前記ＲＬＣ実体標識は重複伝送に用いられ；及び
前記使用状態が０であるときに、前記ＲＬＣ実体標識は重複伝送に用いられない、重複伝送の設定及び／又はアクティベーション装置。
【請求項１４】
請求項１０に記載の重複伝送の設定及び／又はアクティベーション装置であって、
前記アクティベーション／ディアクティベーションシグナリングは、重複伝送と設定され少なくとも１つのＤＲＢと、経路とのマッピング関係をさらに含む、重複伝送の設定及び／又はアクティベーション装置。
【請求項１５】
重複伝送の装置であって、
ネットワーク装置から、ユーザ装置がＣＡ（キャリアアグリゲーション）及び／又は少なくとも２つの接続の操作を行うように設定するための第一設定メッセージを受信するための第一受信ユニット；及び
ネットワーク装置から、重複伝送のための第二設定メッセージ、及び／又は、重複伝送のためのアクティベーション／ディアクティベーションシグナリングを受信するための第二受信ユニットを含む、重複伝送の装置。
【請求項１６】
請求項１５に記載の重複伝送の装置であって、
前記ネットワーク装置から受信する前記第二設定メッセージは、
少なくとも１つのデータ無線バリア（ＤＲＢ）が重複伝送されるために使用する経路（ｌｅｇ）の情報；
少なくとも１つの経路が重複伝送を行うために用いられ得るかの情報；及び
少なくとも１つの経路について該経路を使用して重複伝送を行うように設定されるＤＲＢの情報
のうちの少なくとも１つの情報を含む、重複伝送の装置。
【請求項１７】
請求項１６に記載の重複伝送の装置であって、
前記少なくとも１つのデータ無線バリア（ＤＲＢ）が重複伝送されるために使用する経路の情報は、少なくとも１つのＤＲＢが重複伝送されるために使用するネットワーク装置標識、セル組標識、ＲＬＣ実体標識、及び論理チャネル標識のうちの少なくとも１つを含み、
前記少なくとも１つの経路が重複伝送を行うために用いられ得るかの情報は、少なくとも１つのネットワーク装置又は少なくとも１つのセル組が重複伝送を行うために用いられ得るかの情報を含み、
前記少なくとも１つの経路について該経路を使用して重複伝送を行うように設定されるＤＲＢの情報は、少なくとも１つのネットワーク装置又は少なくとも１つのセル組について、該ネットワーク装置又は該セル組を用いて重複伝送を行うように設定されるＤＲＢの情報を含む、重複伝送の装置。
【請求項１８】
請求項１５−１７のうちの任意の一項に記載の重複伝送の装置であって、
前記ネットワーク装置から受信する前記第二設定メッセージは無線リソース制御（ＲＲＣ）シグナリングである、重複伝送の装置。
【請求項１９】
請求項１５−１７のうちの任意の一項に記載の重複伝送の装置であって、
前記第二受信ユニットは、少なくとも２つのネットワーク装置からそれぞれ少なくとも１つのＤＲＢの重複伝送のアクティベーション状態の指示を受信し、
前記ユーザ装置と、前記少なくとも２つのネットワーク装置とは、少なくとも２つの接続が設定される、重複伝送の装置。
【請求項２０】
請求項１９に記載の重複伝送の装置であって、
第一確定ユニットをさらに含み、
前記第一確定ユニットは、前記ユーザ装置の、少なくとも１つのネットワーク装置又は少なくとも１つのセル組に対応する少なくとも１つのＭＡＣ実体が、前記指示に基づいて、前記ＭＡＣ実体に関する少なくとも１つのＤＲＢの重複伝送のアクティベーション状態を確定するようにさせる、重複伝送の装置。
【請求項２１】
請求項１９に記載の重複伝送の装置であって、
第一伝送ユニットをさらに含み、
前記第一伝送ユニットは、
前記ユーザ装置の、少なくとも１つのネットワーク装置又は少なくとも１つのセル組に対応する少なくとも１つのＭＡＣ実体が、前記アクティベーション／ディアクティベーションシグナリングにおい重複伝送がアクティベーションされる少なくとも１つのＤＲＢについて、前記ネットワーク装置又は前記セル組を用いて前記ＤＲＢの重複伝送を行うようにさせ、及び／又は
前記ユーザ装置の、１つのネットワーク装置又は１つのセル組に対応する１つのＭＡＣ実体が、前記アクティベーション／ディアクティベーションシグナリングにおいて重複伝送がディアクティベーションされる１つのＤＲＢについて、前記ネットワーク装置又は前記セル組を用いて前記ＤＲＢの重複伝送を行わないようにさせる、重複伝送の装置。
【請求項２２】
請求項１５に記載の重複伝送の装置であって、
前記第二受信ユニットは、前記ネットワーク装置から重複伝送のための経路の使用状態の指示を受信する、重複伝送の装置。
【請求項２３】
請求項１５−１７のうちの任意の一項に記載の重複伝送の装置であって、
前記第二受信ユニットが受信する前記アクティベーション／ディアクティベーションシグナリングは、重複伝送と設定される１つのＤＲＢの経路の使用状態の指示を含む、重複伝送の装置。
【請求項２４】
請求項２３に記載の重複伝送の装置であって、
第二確定ユニットをさらに含み、
前記第二確定ユニットは、重複伝送と設定される前記少なくとも１つのＤＲＢの経路の使用状態の指示に基づいて、前記ＤＲＢが重複伝送されるために使用する経路を確定する、重複伝送の装置。
【国際調査報告】
2021533602.tif 000033
2021533602.tif 000034
2021533602.tif 000035
2021533602.tif 000036